(57)【特許請求の範囲】
【請求項１】
固定枠に対し開閉可能に支持された扉体と、
前記固定枠又は前記扉体のいずれか一方に取付けられ、前記固定枠に対し前記扉体を施錠する施錠装置とを備えた遊技機であって、
前記施錠装置は、
鍵により操作される錠部材と、
前記錠部材の動作に連動して摺動可能な摺動部材と、
前記固定枠又は前記扉体の他方側に設けられた被係止部材に対し係止されて前記扉体の開放を規制する係止位置と、前記被係止部材から離脱して前記扉体の開放を許容する非係止位置とに摺動可能な鉤部材とを備え、
前記鉤部材が、前記係止位置から前記非係止位置へ、前記摺動部材の動作に連動して解錠方向に摺動する構成であって、
前記鉤部材の動作に連動して摺動可能に設けられるとともに、第１状態と第２状態とに変化可能なロック部材を備え、
前記鉤部材を前記解錠方向へ摺動させる前記摺動部材の動作に連動して、前記ロック部材が前記第１状態から前記第２状態へ状態変化する構成とすることにより、
前記扉体の閉状態において、前記係止位置にある鉤部材に対し、前記摺動部材以外から前記解錠方向への外力がかかった場合には、前記第１状態に維持されたロック部材が前記被係止部材に係止されることによって、前記鉤部材の前記解錠方向への摺動が規制され、
前記鍵の操作に応じた前記錠部材の動作に連動して前記摺動部材が前記鉤部材を前記解錠方向へ摺動させる場合には、前記ロック部材が前記第１状態から前記第２状態へ状態変化することにより、当該ロック部材が前記被係止部材に係止されずに、前記鉤部材の前記解錠方向への摺動が許容される構成としたことを特徴とする遊技機。
【発明の詳細な説明】
【技術分野】
【０００１】
本発明は、パチンコ機等の遊技機に関するものである。
【背景技術】
【０００２】
一般にパチンコ機等の遊技機では、遊技機本体（内枠）が固定枠（外枠）に対し開閉可能に設けられている。そのため、無断で遊技機本体を開放できないように、遊技機には施錠装置が設けられている。かかる施錠装置としては、専用の鍵を用いて操作されるシリンダ錠と、固定枠に設けられた複数の被係止部に対しそれぞれ係脱可能に設けられた複数の鉤部材と、鍵によるシリンダ錠の解錠操作に応じて複数の鉤部材を連動させる摺動杆とを備えたものが知られている。そして、施錠状態では各鉤部材がそれぞれ対応する被係止部に係合することで遊技機本体が固定枠に対し開放不能となる。他方、専用の鍵でシリンダ錠を解錠操作することにより摺動杆を介して各鉤部材が被係止部から同時に離脱し、遊技機本体が開放可能となる。
【０００３】
近年、遊技ホールでは、営業中に遊技機本体を不正に解錠し、本体裏側に設けられた制御機器を不正に操作したり交換する等して、多くの遊技媒体を獲得する不正行為が行われることもある。このような不正解錠は、通常、針金等の線材を差込み、当該線材を施錠装置の鉤部材に引っ掛けて解錠方向に動かすことにより行われる。いずれか１つの鉤部材に対して不正な解錠操作が行われると、その動作が摺動杆を介して他の鉤部材に伝達され、全鉤部材が連動して被係止部から離脱し、遊技機本体が開放可能となる。
【０００４】
このような不正解錠操作を防止するため、近年では、例えば遊技機本体の閉時に摺動杆の移動を規制するロック機構を備える遊技機も見受けられる（例えば特許文献１参照）。
【先行技術文献】
【特許文献】
【０００５】
【特許文献１】特開２００３−９１５号公報
【発明の概要】
【発明が解決しようとする課題】
【０００６】
しかしながら、従来のロック機構では、不正な解錠操作により簡単に遊技機本体が開放されてしまうおそれがある。
【０００７】
なお、上記例示した課題等は、遊技機本体と外枠とを施錠する施錠機構に限定されるものではなく、例えば遊技機本体と当該遊技機本体に対し開閉可能に設けられた開閉部材とを施錠する施錠機構などにも該当する問題であるとともに、ひいては、パチンコ機に限らず、スロットマシン等の他の遊技機にも該当する問題である。
【０００８】
本発明は、上記例示した課題等を解決するためになされたものであり、その目的は、線材等を用いた不正解錠に対する防御性能に優れた遊技機を提供することにある。
【課題を解決するための手段】
【０００９】
本発明に係る遊技機は、
固定枠に対し開閉可能に支持された扉体と、
前記固定枠又は前記扉体のいずれか一方に取付けられ、前記固定枠に対し前記扉体を施錠する施錠装置とを備えた遊技機であって、
前記施錠装置は、
鍵により操作される錠部材と、
前記錠部材の動作に連動して摺動可能な摺動部材と、
前記固定枠又は前記扉体の他方側に設けられた被係止部材に対し係止されて前記扉体の開放を規制する係止位置と、前記被係止部材から離脱して前記扉体の開放を許容する非係止位置とに摺動可能な鉤部材とを備え、
前記鉤部材が、前記係止位置から前記非係止位置へ、前記摺動部材の動作に連動して解錠方向に摺動する構成であって、
前記鉤部材の動作に連動して摺動可能に設けられるとともに、第１状態と第２状態とに変化可能なロック部材を備え、
前記鉤部材を前記解錠方向へ摺動させる前記摺動部材の動作に連動して、前記ロック部材が前記第１状態から前記第２状態へ状態変化する構成とすることにより、
前記扉体の閉状態において、前記係止位置にある鉤部材に対し、前記摺動部材以外から前記解錠方向への外力がかかった場合には、前記第１状態に維持されたロック部材が前記被係止部材に係止されることによって、前記鉤部材の前記解錠方向への摺動が規制され、
前記鍵の操作に応じた前記錠部材の動作に連動して前記摺動部材が前記鉤部材を前記解錠方向へ摺動させる場合には、前記ロック部材が前記第１状態から前記第２状態へ状態変化することにより、当該ロック部材が前記被係止部材に係止されずに、前記鉤部材の前記解錠方向への摺動が許容される構成としたことをその要旨としている。
【発明の効果】
【００１０】
本発明によれば、線材等を用いた不正解錠に対する防御性能に優れた遊技機を提供することができる。
【図面の簡単な説明】
【００１１】
【図１】一実施形態におけるパチンコ機を示す正面図である。
【図２】パチンコ機の斜視図である。
【図３】パチンコ機の右側面図である。
【図４】内枠及び前面枠セットを開放した状態を示す斜視図である。
【図５】外枠の構成を示す斜視図である。
【図６】内枠及び遊技盤の構成を示す正面図である。
【図７】内枠の構成を示す背面図である。
【図８】パチンコ機の構成を示す背面図である。
【図９】電気的構成を示すブロック図である。
【図１０】施錠装置を背面左側から見た斜視図である。
【図１１】施錠装置を正面左側から見た斜視図である。
【図１２】施錠装置の背面図である。
【図１３】施錠装置の右側面図である。
【図１４】施錠装置の左側面図である。
【図１５】施錠装置の正面図である。
【図１６】背面側から見た施錠装置の分解図である。
【図１７】側面側から見た施錠装置の分解図である。
【図１８】鍵の非挿入時におけるシリンダ錠を示す断面図である。
【図１９】鍵の挿入時におけるシリンダ錠を示す断面図である。
【図２０】（ａ）は、摺動杆が上方へ摺動した状態における施錠装置を背面左側から見た斜視図であり、（ｂ）は、その状態における施錠装置を正面左側から見た斜視図である。
【図２１】（ａ）は、摺動杆が下方へ摺動した状態における施錠装置を背面左側から見た斜視図であり、（ｂ）は、その状態における施錠装置を正面左側から見た斜視図である。
【図２２】受け金具に係合された内鉤部材及び内ロック部材等を示す部分拡大斜視図である。
【図２３】受け金具に係合された前鉤部材及び前ロック部材等を示す部分拡大斜視図である。
【図２４】内鉤部材及び内ロック部材が受け金具に係止されるとともに、前鉤部材及び前ロック部材が受け金具に係止された状態を示す部分拡大図である。
【図２５】内枠の開放状態において、内鉤部材及び内ロック部材が上方に摺動した状態を示す部分拡大図である。
【図２６】（ａ）は、内枠を解錠するに際し、内ロック部材が基準位置より変位した状態を示す部分拡大図であり、（ｂ）は、それに続き内鉤部材及び内ロック部材が上方に摺動した状態を示す部分拡大図である。
【図２７】前面枠セットの開放状態において、前鉤部材及び前ロック部材が下方に摺動した状態を示す部分拡大図である。
【図２８】（ａ）は、前面枠セットを解錠するに際し、前ロック部材が基準位置より変位した状態を示す部分拡大図であり、（ｂ）は、それに続き前鉤部材及び前ロック部材が下方に摺動した状態を示す部分拡大図である。
【発明を実施するための形態】
【００１２】
上述したように、一般にパチンコ機等の遊技機では、メンテナンス等の観点から遊技機本体（内枠）が固定枠（外枠）に対し開閉可能に設けられている。そのため、店員以外の者が無断で遊技機本体を開放できないように、遊技機には施錠装置が設けられている。かかる施錠装置としては、専用の鍵を用いて操作されるシリンダ錠と、固定枠に設けられた複数の被係止部に対しそれぞれ係脱可能に設けられた複数の鉤部材と、鍵によるシリンダ錠の解錠操作に応じて複数の鉤部材を連動させる摺動杆とを備えたものが知られている。そして、施錠状態では各鉤部材がそれぞれ対応する被係止部に係合することで遊技機本体が固定枠に対し開放不能となる。他方、専用の鍵でシリンダ錠を解錠操作することにより摺動杆を介して各鉤部材が被係止部から同時に離脱し、遊技機本体が開放可能となる。
【００１３】
近年、遊技ホールでは、営業中に遊技機本体を不正に解錠し、本体裏側に設けられた制御機器を不正に操作したり交換する等して、多くの遊技媒体を獲得する不正行為が行われることもある。このような不正解錠は、通常、遊技機本体と固定枠との隙間から針金等の線材を差込み、当該線材を施錠装置の鉤部材に引っ掛けて解錠方向に動かすことにより行われる。いずれか１つの鉤部材に対して不正な解錠操作が行われると、その動作が摺動杆を介して他の鉤部材に伝達され、全鉤部材が連動して被係止部から離脱し、遊技機本体が開放可能となる。
【００１４】
このような不正解錠操作を防止するため、近年では、例えば遊技機本体の閉時に摺動杆の移動を規制するロック機構を備えることにより、いずれか１つの鉤部材に対して不正な解錠操作が行われた場合に、当該不正解錠操作に応じた鉤部材の動作が、不正解錠操作されていない他の鉤部材に伝達されるのを防止している遊技機も見受けられる（例えば特許文献１参照）。
【００１５】
このようなロック機構は、例えば施錠装置の取付けられた遊技機本体を閉じると、所定のロック部材が相手側部材である外枠等の一部に押されて変位し、摺動杆の一部に差し込まれる等して摺動杆と係合することにより、摺動杆の移動を規制する仕組みとなっている。
【００１６】
しかしながら、一般的に、前後方向に係り合う鉤部材と被係止部との間、ひいては遊技機本体と固定枠との間には、ある程度の遊び部分を設けざるを得ない。遊びがない場合には、遊技機本体の施錠又は解錠の際に鉤部材と被係止部とが擦れ、鉤部材が摺動しにくくなるため、施錠又は解錠をスムーズに行えないおそれがある。被係止部の組付誤差等、場合によっては、遊技機本体を施錠できなくなることも想定される。
【００１７】
このように、鉤部材と被係止部との間に遊びを設定してある場合には、鉤部材と被係止部とが係合し、遊技機本体が適正に施錠されている場合でも、遊技機本体と固定枠との組付誤差等によっては、ロック部材が必要量変位しておらず、当該ロック部材と摺動杆とが適正に係合していないおそれがある。つまり、ロック機構が正常に機能していないおそれがある。固定枠が木製品等により構成されている場合には、加工精度や経年変化等により、上記不具合が助長されるおそれもある。さらには、遊技機本体を無理やり前方に引っ張ることにより、ロック部材と摺動杆との係合が簡単に解除されてしまうおそれもある。その結果、鉤部材の不正な解錠操作により簡単に遊技機本体が開放されてしまうおそれがある。
【００１８】
なお、上記課題は、遊技機本体と外枠とを施錠する施錠機構に限定されるものではなく、例えば遊技機本体と当該遊技機本体に対し開閉可能に設けられた開閉部材とを施錠する施錠機構などにも該当する問題であるとともに、ひいては、パチンコ機に限らず、スロットマシン等の他の遊技機にも該当する問題である。
【００１９】
本発明は、上記課題を解決するためになされたものであり、その目的は、線材等を用いた不正解錠に対する防御性能に優れた遊技機を提供することにある。
【００２０】
以下、上記課題等を解決するのに適した各手段を項分けして説明する。なお、必要に応じて対応する手段に特有の作用効果等を付記する。
【００２１】
手段１．固定枠に対し左右一側部にて開閉可能に支持された扉体と、
前記固定枠又は前記扉体のいずれか一方の左右他側部に沿って取付けられ、前記固定枠に対し前記扉体を施錠する施錠装置とを備えた遊技機であって、
前記施錠装置は、
前記固定枠又は前記扉体いずれか一方の左右他側部に沿って取付けられる取付部、及び、当該取付部から突設された支持部を具備する縦長の基枠と、
鍵により操作される錠部材と、
前記鍵の操作に応じた前記錠部材の動作に連動して上下方向に摺動可能なように前記支持部に沿って設けられた摺動部材と、
前記固定枠又は前記扉体の他方側に設けられた被係止部材に対し係止されて前記扉体の開放を規制する係止位置と、前記被係止部材から離脱して前記扉体の開放を許容する非係止位置とに、上下方向に摺動可能な鉤部材と、
前記鉤部材を施錠方向である上下方向一方側へ付勢する付勢手段とを備え、
前記鉤部材が、前記係止位置から前記非係止位置へ、前記摺動部材の動作に連動して解錠方向である上下方向他方側へ摺動する構成であって、
前記鉤部材の動作に連動して上下方向に摺動可能に設けられるとともに、第１状態（第１位置）と第２状態（第２位置）とに変化可能なロック部材と、
前記ロック部材を前記第１状態に維持する維持手段とを備え、
前記鉤部材を前記解錠方向へ摺動させる前記摺動部材の動作に連動して、前記ロック部材が前記第１状態から前記第２状態へ状態変化する構成とするとともに、
前記係止位置にある鉤部材に対し、前記摺動部材以外から前記解錠方向への外力がかかった場合には、当該鉤部材とともに、前記ロック部材が前記第１状態を維持しつつ前記解錠方向へ摺動可能な構成とすることにより、
前記扉体の閉状態において、前記係止位置にある鉤部材に対し、前記摺動部材以外から前記解錠方向への外力がかかった場合には、前記第１状態に維持されたロック部材が前記被係止部材に係止されることによって、前記鉤部材の前記解錠方向への摺動が規制され、
前記鍵の操作に応じた前記錠部材の動作に連動して前記摺動部材が前記鉤部材を前記解錠方向へ摺動させる場合には、前記ロック部材が前記第１状態から前記第２状態へ状態変化することにより、当該ロック部材が前記被係止部材に係止されずに、前記鉤部材の前記解錠方向への摺動が許容される構成とし、
前記ロック部材を、少なくとも前記支持部と前記鉤部材との間に配設したことを特徴とする遊技機。
【００２２】
上記手段１によれば、ロック部材を備えることにより、扉体の施錠時において、鍵を用いずに線材等によって鉤部材に対し直接の解錠操作、すなわち不正な解錠操作が行われた場合には、鉤部材の解錠方向への摺動が規制される。つまり、鉤部材は係止位置に維持されるため、扉体の開放は許容されない。
【００２３】
一方、鍵を用いて正規に解錠操作を行った場合には、摺動部材から力を受けることにより、ロック部材が第１状態から第２状態へ状態変化し、鉤部材が非係止位置へ摺動可能となる。つまり、鉤部材が被係止部材から離脱し、扉体の開放が許容される。
【００２４】
上記ロック部材は、従来とは異なり、相手側部材（固定枠又は扉体のうち施錠装置が設けられた側とは反対側の部材、例えば施錠装置が扉体に設けられている場合には固定枠）に当接する等して状態変化する構成ではない。従って、ロック部材と相手側部材本体との直接的な関連性（例えばロック部材と相手側部材本体との当接位置関係など）を考慮する必要がないため、例えばロック部材のうち被係止部材と係り合う部位の前後長を予め余裕をもって長めに設計しておくことができ、扉体と固定枠との間にある程度の遊びを設けたとしても、被係止部材に対しロック部材がより確実に係止されやすい。結果として、仮に扉体と固定枠との組付誤差が大きくなった場合でも、当該組付誤差によるロック部材の機能低下といった不具合は低減される。換言すれば、より大きな製造誤差や組付誤差を許容することができ、歩留まり性が向上する。
【００２５】
また、扉体を無理やり引っ張る等した場合でも、ロック部材と被係止部材との係合が簡単に解除され、扉体が開放されてしまうおそれも低い。さらに、上記ロック部材は、摺動部材ではなく、鉤部材の解錠方向への摺動を直接的に規制しているため、より確実に不正解錠を抑制することができる。
【００２６】
また、仮に線材等を用いてロック部材を状態変化させるとともに、鉤部材を不正に解錠操作しようとした場合には、鉤部材とロック部材とにそれぞれ引っ掛けた線材等を少なくとも２方向に操作しなければならないため、不正解錠操作が行いにくくなる。結果として、線材等を用いた不正解錠に対する防御性能が格段に向上する。
【００２７】
さらに、ロック部材を、基枠の支持部と鉤部材との間に配設することにより、ロック部材の露出する部位が減る。従って、ロック部材に線材等を引っ掛けたり、金属片等を押し当てたりすることのできる部位の露出度も減り、上述したような不正解錠操作が行いにくくなる。結果として、さらなる防御性能の向上を図ることができる。
【００２８】
なお、以下の手段においても同様であるが、鉤部材及びこれに対応する被係止部材の数は１つに限定されるものではなく、これらを複数備えた構成としてもよい（ロック部材等に関しても同様）。この場合、複数の鉤部材それぞれに対応してロック部材が設けられることが好ましい。このようにすれば、不正解錠に対する防御性能のさらなる向上が図られる。但し、少なくとも１つに設けられていれば、不正解錠に対する防御性能を十分に発揮することはできる。
【００２９】
また、上記「左右一側部」とは、左右方向における一方側を指し、「左右一側部」が例えば「右側部」であれば、「左右他側部」は「左側部」となる。逆に、「左右一側部」が「左側部」であれば、「左右他側部」は「右側部」となる。
【００３０】
また、錠部材の例としては、鍵が挿入されて回動操作されるシリンダ錠などが挙げられる。
【００３１】
また、鉤部材が「摺動部材の動作に連動して」動く構成には、摺動部材と鉤部材とが一体形成されたり、摺動部材に対しネジ等の固定手段により相対変位不能に固定されたりして、両者が一体的に動く構成なども含まれる。従って、鉤部材は、摺動部材と一体形成された構成や摺動部材に対し相対変位不能に固定された構成であってもよいし、摺動部材に対し相対変位可能に係合された構成でもよい。勿論、鉤部材と摺動部材とが一体形成された構成では、ロック部材は、少なくとも支持部と摺動部材との間（摺動部材よりも支持部側）に配設されることとなる。
【００３２】
また、付勢手段が「鉤部材を施錠方向である上下方向一方側へ付勢する」構成としては、例えば鉤部材を直接的に付勢する構成や、摺動部材やロック部材等を介して間接的に付勢する構成等が挙げられる。
【００３３】
なお、上記手段において、「前記ロック部材を、少なくとも前記支持部と前記鉤部材との間に配設した」とあるが、これは支持部に対する組付け方向（左右方向）に対してロック部材が鉤部材よりも支持部側において取付けられている構成を意味している。従って、例えば維持手段と係合するロック部材のフック部等の一部分が、前記組付け方向に対して鉤部材よりも支持部とは反対側に突出している構成を排除するものではない（以下の手段についても同様）。
【００３４】
手段２．前記鉤部材は、前記摺動部材に対し相対変位可能に組付けられるとともに、
前記ロック部材は、前記鉤部材に対し相対変位可能に組付けられていることを特徴とする手段１に記載の遊技機。
【００３５】
上記手段２によれば、摺動部材に対し鉤部材が相対変位可能に組付けられることにより、仮に複数の鉤部材を設けた場合でも、摺動部材に対し個々の鉤部材を独立して摺動変位させることができる。従って、仮に不正な解錠操作によって鉤部材のいずれか１つに対し直接外力が加えられた場合でも、これに摺動部材が連動しないため、他の鉤部材は摺動せず、扉体の施錠状態が保持される。つまり、扉体の開放は許容されない。さらに、ロック部材が、鉤部材に対し相対変位可能に組付けられていることにより、ロック部材がより確実に鉤部材に連動して動き、鉤部材の摺動をより確実に規制することができる。結果として、不正解錠に対する防御性能がさらに向上する。
【００３６】
上述したように仮に線材等を用いてロック部材を状態変化させるとともに、鉤部材を不正に解錠操作しようとした場合でも、上記手段１の構成に加えて上記手段２のようにロック部材が鉤部材に組付けられ、両者が密着している場合には、線材等が進入するような隙間が形成されにくい。結果として、線材等を用いた不正解錠に対する防御性能をさらに高めることができる。
【００３７】
手段３．前記ロック部材は、回動変位して前記第１状態と前記第２状態とに変化する構成となっていることを特徴とする手段１又は２に記載の遊技機。
【００３８】
上記手段３によれば、仮にラックアンドピニオン機構によりロック部材を略水平方向にスライド変位させる構成とした場合などに比べて、より簡素な構成でロック部材の状態変化を実現することができる。また、ロック部材と鉤部材とをより密着させて配設することができるため、線材等が進入するような隙間が形成されにくくなり、線材等を用いた不正解錠に対する防御性能をさらに高めることができる。
【００３９】
手段４．前記扉体を開状態から閉状態とする際に、前記鉤部材が前記被係止部材に接触することにより前記解錠方向へ摺動するとともに、前記ロック部材が前記被係止部材に接触して前記第２状態に状態変化する構成となっていることを特徴とする手段１乃至３のいずれかに記載の遊技機。
【００４０】
上記手段４によれば、扉体を閉状態とする際に、専用の鍵を用いた施錠操作を行う必要もなく、利便性の向上が図られる。例えば、鉤部材の先端が略三角形状に先細りしており、扉体を閉じていくと、先ず鉤部材の傾斜部位が被係止部材に接する。さらに扉体を閉じていくことで、コイルばね等の付勢手段の付勢力に抗して鉤部材が解錠方向へ変位する。そして、鉤部材が被係止部材を乗り越えると、鉤部材は付勢手段の付勢力により元の位置に戻り、被係止部材に係止される。これにより扉体の施錠が完了する。この際、ロック部材も、被係止部材に接触することでコイルばね等の維持手段の維持力に抗して第２状態に状態変化するため、当該ロック部材が邪魔になることなく、スムーズに扉体を閉めることができる。そして、扉体の施錠が完了すると、ロック部材も維持手段の維持力により自動的に第１状態に戻り、ロック状態となる。
【００４１】
手段５．前記付勢手段及び前記維持手段を単一の付勢部材により構成したことを特徴とする手段１乃至４のいずれかに記載の遊技機。
【００４２】
上記手段５によれば、付勢手段及び維持手段を単一の付勢部材（例えばコイルばね等の弾性部材）により具現化することにより、部品点数の増加を抑制するとともに、構成の簡素化を図ることができる。
【００４３】
手段６．前記被係止部材に係止される前記鉤部材及び前記ロック部材の少なくとも一方を囲うカバー部材を備えたことを特徴とする手段１乃至５のいずれかに記載の遊技機。
【００４４】
上記手段６によれば、被係止部材に係止される鉤部材やロック部材に対し、線材等を引っ掛けにくくなるため、不正解錠に対する防御性能のさらなる向上を図ることができる。また、前記被係止部材と前記カバー部材とを一体形成すれば、部品点数の削減を図ることができる。
【００４５】
手段７．前記支持部の突出側端縁部において前記取付部と相対向するようにフランジ部が設けられ、前記取付部及び前記フランジ部の間に前記鉤部材及び前記ロック部材が配設され、前記鉤部材の一部及び前記ロック部材の一部が、これらに対応して前記取付部又は前記フランジ部に形成された孔部又は凹部を介して前記基枠の外部に突出することにより前記被係止部材に係止可能となることを特徴とする手段１乃至６のいずれかに記載の遊技機。
【００４６】
上記手段７によれば、フランジ部を設けることにより、鉤部材と支持部との隙間から線材等を進入させ、ロック部材に引っ掛けるといった不正行為がより困難となる。結果として、線材等を用いた不正解錠に対する防御性能をさらに高めることができる。
【００４７】
手段８．前記摺動部材と係合可能に形成された前記ロック部材の一部、及び、前記維持手段と係合可能に形成された前記ロック部材の一部の少なくとも一方に対応して、前記鉤部材にガード部を設けたことを特徴とする手段１乃至７のいずれかに記載の遊技機。
【００４８】
他の部材と係合可能に設けられたロック部材の一部には、線材等が引っ掛けられやすいおそれがあるが、上記手段８のように、これらの部位に対応して、ガード部を設けることで、線材等の引っ掛けの障害となるため、ロック部材に線材等を引っ掛けるといった不正行為がより困難となる。結果として、線材等を用いた不正解錠に対する防御性能をさらに高めることができる。
【００４９】
手段９．固定枠に対し左右一側部にて開閉可能に支持された第１扉体と、
前記第１扉体の背面側又は前面側において、当該第１扉体に対し前記左右一側部にて開閉可能に支持された第２扉体とを備えるとともに、
前記固定枠に対し左右他側部にて前記第１扉体を施錠する機構と、前記第１扉体に対し前記左右他側部にて前記第２扉体を施錠する機構とを具備した施錠装置を備えた遊技機であって、
前記施錠装置は、
前記第１扉体の前記左右他側部に沿って取付けられる取付部、及び、当該取付部から突設された支持部を具備する縦長の基枠と、
鍵により操作される錠部材と、
前記鍵による第１の操作に応じた前記錠部材の動作に連動して上下方向一方（例えば上方）に摺動変位し、かつ、前記鍵による第２の操作に応じた前記錠部材の動作に連動して上下方向他方（例えば下方）に摺動変位可能なように前記支持部に沿って設けられた摺動部材と、
前記固定枠側に設けられた第１被係止部材に対し係止されて前記第１扉体の開放を規制する係止位置と、前記第１被係止部材から離脱して前記第１扉体の開放を許容する非係止位置とに、上下方向に摺動変位する第１鉤部材と、
前記第１鉤部材を第１施錠方向である上下方向他方（下方）側へ付勢する第１付勢手段と、
前記第２扉体側に設けられた第２被係止部材に対し係止されて前記第２扉体の開放を規制する係止位置と、前記第２被係止部材から離脱して前記第２扉体の開放を許容する非係止位置とに、上下方向に摺動変位する第２鉤部材と、
前記第２鉤部材を第２施錠方向である上下方向一方（上方）側へ付勢する第２付勢手段とを備え、
前記摺動部材の上下方向一方（上方）への第１の動作に連動して、前記第１鉤部材が、前記係止位置から前記非係止位置へ第１解錠方向である上下方向一方（上方）側へ摺動し、
前記摺動部材の上下方向他方（下方）への第２の動作に連動して、前記第２鉤部材が、前記係止位置から前記非係止位置へ第２解錠方向である上下方向他方（下方）側へ摺動する構成であって、
前記第１鉤部材の動作に連動して上下方向に摺動可能に設けられるとともに、第１状態と第２状態とに変化可能な第１ロック部材と、
前記第１ロック部材を前記第１状態へ維持する第１維持手段と、
前記第２鉤部材の動作に連動して上下方向に摺動可能に設けられるとともに、第１状態と第２状態とに変化可能な第２ロック部材と、
前記第２ロック部材を前記第１状態へ維持する第２維持手段とを備え、
前記摺動部材の前記第１の動作に連動して、前記第１ロック部材が前記第１状態から前記第２状態へ状態変化し、
前記摺動部材の前記第２の動作に連動して、前記第２ロック部材が前記第１状態から前記第２状態へ状態変化する構成とするとともに、
前記係止位置にある第１鉤部材に対し、前記摺動部材以外から前記第１解錠方向（上方）への外力がかかった場合には、当該第１鉤部材とともに、前記第１ロック部材が前記第１状態を維持しつつ前記第１解錠方向（上方）へ摺動可能とし、
前記係止位置にある第２鉤部材に対し、前記摺動部材以外から前記第２解錠方向（下方）への外力がかかった場合には、当該第２鉤部材とともに、前記第２ロック部材が前記第１状態を維持しつつ前記第２解錠方向（下方）へ摺動可能とした構成とすることにより、
前記第１扉体の閉状態において、前記係止位置にある第１鉤部材に対し、前記摺動部材以外から前記第１解錠方向（上方）への外力がかかった場合には、前記第１状態に維持された第１ロック部材が前記第１被係止部材に係止されることによって、前記第１鉤部材の前記第１解錠方向（上方）への摺動が規制され、
前記鍵の第１の操作に応じた前記錠部材の動作に連動して前記摺動部材が前記第１鉤部材を前記第１解錠方向（上方）へ摺動させる場合には、前記第１ロック部材が前記第１状態から前記第２状態へ状態変化することにより、当該第１ロック部材が前記第１被係止部材に係止されずに、前記第１鉤部材の前記第１解錠方向（上方）への摺動が許容され、
前記第２扉体の閉状態において、前記係止位置にある第２鉤部材に対し、前記摺動部材以外から前記第２解錠方向（下方）への外力がかかった場合には、前記第１状態に維持された第２ロック部材が前記第２被係止部材に係止されることによって、前記第２鉤部材の前記第２解錠方向（下方）への摺動が規制され、
前記鍵の第２の操作に応じた前記錠部材の動作に連動して前記摺動部材が前記第２鉤部材を前記第２解錠方向（下方）へ摺動させる場合には、前記第２ロック部材が前記第１状態から前記第２状態へ状態変化することにより、当該第２ロック部材が前記第２被係止部材に係止されずに、前記第２鉤部材の前記第２解錠方向（下方）への摺動が許容される構成とし、
前記第１ロック部材を少なくとも前記支持部と前記第１鉤部材との間に配設し、かつ、前記第２ロック部材を少なくとも前記支持部と前記第２鉤部材との間に配設したことを特徴とする遊技機。
【００５０】
上記手段９によれば、２つの扉体を備えた構成において、上記手段１と同様の作用効果が奏される。また、上記手段９では、摺動部材を共用しつつも、第１扉体の解錠と第２扉体の解錠とを別々に行うことができる。結果として、２つの扉体を別々に開放でき、メンテナンス時等の作業性の向上など利便性の向上を図るとともに、部品点数の増加を抑制することができる。なお、第１及び第２の操作としては、例えばシリンダ錠等における一方への回動操作及び他方への回動操作が挙げられる。
【００５１】
上記手段のように１つの摺動部材を共用しつつ、２つの扉体の解錠を別々に行う構成とするためには、摺動部材に対して各鉤部材を相対変位可能に係合する構成を採用せざるを得ない。そのため、各鉤部材を摺動部材に対して上下動可能とする構成を採用しつつ、各鉤部材に対する直接の解錠操作によっては各鉤部材が上下動しない構成とすることが、不正防止の観点から必要とされる。この点、上記手段９によれば、各鉤部材を摺動部材に対して相対変位可能としつつも、各ロック部材を備えることにより、鍵を用いない線材等による不正な解錠操作（鉤部材に対する直接の解錠操作）によって、各鉤部材が非係止位置へ動かないようにすることができる。つまり、摺動部材に対して各鉤部材を相対変位可能とした構成では、上記各ロック部材がより奏効することとなる。
【００５２】
なお、第１及び第２鉤部材や、第１及び第２ロック部材などの構成に関しては、それぞれ同様の構成を採用することができるため、上記手段２乃至８に記載した構成を、手段９の各鉤部材や各ロック部材などに関する従属構成として同様に採用することができる。
【００５３】
以下に、上記各手段が適用される各種遊技機の基本構成を示す。
【００５４】
Ａ．上記各手段における前記遊技機は弾球遊技機であること。より詳しい態様例としては、「遊技者が操作する操作手段（遊技球発射ハンドル）と、当該操作手段の操作に基づいて遊技球を弾いて発射する発射手段（発射モータ等）と、当該発射された遊技球が案内される遊技領域と、前記遊技領域内に配置された各入球手段（一般入賞口、可変入賞装置、作動口等）とを備えた弾球遊技機」が挙げられる。
【００５５】
Ｂ．上記各手段における前記遊技機は略鉛直方向に延びる遊技領域を備えた弾球遊技機であること。より詳しい態様例としては、「遊技者が操作する操作手段（遊技球発射ハンドル）と、当該操作手段の操作に基づいて遊技球を弾いて発射する発射手段（発射モータ等）と、当該発射された遊技球が案内され、略鉛直方向に沿って延びる所定の遊技領域（例えば遊技領域は遊技盤面等により構成される）と、前記遊技領域内に配置された各入球手段（一般入賞口、可変入賞装置、作動口等）とを備え、前記遊技領域を流下する遊技球の挙動を視認可能に構成されてなる弾球遊技機」が挙げられる。
【００５６】
Ｃ．上記各手段における前記遊技機、又は、上記各弾球遊技機は、パチンコ機又はパチンコ機に準ずる遊技機であること。
【００５７】
Ｄ．上記各手段における遊技機は、スロットマシン等の回胴式遊技機であること。より詳しい態様例としては、「複数の識別情報（図柄）からなる識別情報列（図柄列；具体的には図柄の付されたリール、ベルト等の回転体）を変動表示（具体的にはリール等の回転）した後に識別情報列を停止表示する可変表示手段（具体的にはリールユニット等の回転体ユニット）を備え、始動用操作手段（具体的にはスタートレバー）の操作に起因して識別情報（図柄）の変動が開始され、停止用操作手段（具体的にはストップボタン）の操作に起因して識別情報（図柄）の変動が停止され、その停止時に有効ライン上に揃った識別情報が特定の識別情報であることを条件に遊技価値が付与されるよう構成した回胴式遊技機」が挙げられる。
【００５８】
Ｅ．上記各手段における遊技機は、スロットマシンとパチンコ機とを融合した形式の遊技機（特に遊技球を遊技媒体として使用するスロットマシン仕様の遊技機）であること。より詳しい態様例としては、「複数の識別情報（図柄）からなる識別情報列（図柄列；具体的には図柄の付されたリール、ベルト等の回転体）を変動表示（具体的にはリール等の回転）した後に識別情報列を停止表示する可変表示手段（具体的にはリールユニット等の回転体ユニット）を備え、始動用操作手段（具体的にはスタートレバー）の操作に起因して識別情報（図柄）の変動が開始され、停止用操作手段（具体的にはストップボタン）の操作に起因して識別情報（図柄）の変動が停止され、その停止時に有効ライン上に揃った識別情報が特定の識別情報であることを条件に遊技価値が付与されるよう構成し、さらに球受皿（上皿等）を設けてその球受皿から遊技球を取り込む取込手段と、前記球受皿に遊技球の払出しを行う払出手段とを備え、前記取込手段により遊技球が取り込まれることにより遊技の開始条件が成立するように構成した遊技機」が挙げられる。
【００５９】
以下、パチンコ遊技機（以下、単に「パチンコ機」という）の一実施形態を、図面に基づいて詳細に説明する。ここで、図１はパチンコ機１０の正面図であり、図２は斜視図であり、図３は右側面図である。また、図４は、内枠１２及び前面枠セット１４を開放した状態を示す斜視図である。但し、図４では便宜上、遊技盤３０面上に配設される釘や役物、前面枠セット１４に取付けられるガラスユニット１３７などを省略して示している。
【００６０】
図１乃至図４に示すように、パチンコ機１０は、当該パチンコ機１０の外郭を構成する固定枠としての外枠１１を備えており、この外枠１１の一側部に遊技機本体（第１扉体）としての内枠１２が開閉可能に支持されている。外枠１１は、例えば木製の板材により全体として矩形状に構成され、小ネジ等の離脱可能な締結具により各板材が組み付けられている。
【００６１】
ここで、外枠１１について図５を参照しつつ説明する。外枠１１の左辺部には、上ヒンジ８１及び下ヒンジ８２が設けられている。当該上ヒンジ８１及び下ヒンジ８２にて、内枠１２の上下部が回動可能に支持されており、これにより内枠１２が開閉可能に支持される。また、外枠１１の右辺部内側には、後述する施錠装置６００の内鉤部材６１３，６１４に対応して、第１被係止部材としての上下一対の受け金具８３，８４が取付けられている。そして、内枠１２の閉時においては、受け金具８３，８４に対して内鉤部材６１３，６１４が係止されることにより、内枠１２の開放が規制される（図２２等参照）。
【００６２】
さらに、外枠１１下部には、樹脂製の幕板飾り８５が取着されている。幕板飾り８５の上面奥部には、上方に突出するリブ８８が一体形成されている。これにより内枠１２との間に隙間が形成されにくくなっている。また、外枠１１の右辺部内側面には切欠き部８９が形成されている。この切欠き部８９は、内枠１２を閉状態とした際に、内枠１２の背面側に設けられた施錠装置６００等が外枠１２と接触するのを防止するためのものである。
【００６３】
内枠１２の開閉軸線は、上述したようにパチンコ機１０の正面からみて左側において上下に沿って設定されており、この開閉軸線を軸心として内枠１２が前方側に開放できるようになっている。内枠１２は、外形が矩形状をなす青色の樹脂ベース３８を主体に構成されており、当該樹脂ベース３８の中央部には略楕円形状の窓孔３９が形成されている。
【００６４】
また、内枠１２の前面側には、前面扉（第２扉体）としての前面枠セット１４が開閉可能に取付けられている。前面枠セット１４は、内枠１２と同様に、パチンコ機１０の正面から見て左側において上下に沿って設定された開閉軸線を軸心として前方側に開放できるようになっている。
【００６５】
前面枠セット１４は、内枠１２と同様に外形が矩形状をなし、閉鎖状態においては内枠１２の前面側ほぼ全域を覆う。前面枠セット１４の中央部には略楕円形状の窓部１０１が形成されている。これにより、前面枠セット１４の窓部１０１及び内枠１２の窓孔３９を介して、内枠１２の後面に装着される遊技盤３０（遊技領域）を外部から視認可能となる。遊技盤３０の詳細な構成については後述する。
【００６６】
前面枠セット１４の前面側には、その下部中央において球受皿としての下皿１５が設けられており、排出口１６より排出された遊技球が下皿１５内に貯留可能になっている。また、下皿１５の手前側には、下皿１５内から遊技球を排出するための球抜きレバー２５が設けられている。
【００６７】
下皿１５の右方には、手前側に突出した遊技球発射ハンドル（以下、単にハンドルという）１８が設けられ、下皿１５の左方には、灰皿２６が設けられている。尚、ハンドル１８には、図示しないタッチセンサや、ハンドル１８の操作部の操作量を検出するための図示しない操作量検出手段が設けられている。
【００６８】
下皿１５の上方には上皿１９が設けられている。上皿１９は、遊技球を一旦貯留し、一列に整列させながら後述する遊技球発射装置（以下、単に発射装置という）７０の方へ案内する球受皿である。なお、上皿１９から溢れる遊技球は下皿１５へ案内されるようになっている。
【００６９】
上皿１９には球貸しボタン１２１と返却ボタン１２２とが設けられている。これにより、遊技場等において、パチンコ機１０の側方に配置されるカードユニット（球貸しユニット）に紙幣やカード等を投入した状態で球貸しボタン１２１が操作されると、その操作に応じて貸出球が上皿１９に供給される。一方、返却ボタン１２２は、カードユニットに挿入されたカード等の返却を求める際に操作される。但し、カードユニットを介さずに球貸し装置等から上皿１９に遊技球が直接貸し出されるパチンコ機、いわゆる現金機では球貸しボタン１２１及び返却ボタン１２２は不要である。
【００７０】
また、前面枠セット１４の前面にはその周囲に各種ランプ等の発光手段が設けられている。これら発光手段は、大当たり時や所定のリーチ時等における遊技状態の変化に応じて点灯、点滅のように発光態様が変更制御され遊技中の演出効果を高める役割を果たすものである。例えば、窓部１０１の周縁には、ＬＥＤ等の発光手段を内蔵した環状電飾部１０２が設けられ、該環状電飾部１０２の中央であってパチンコ機１０の最上部には、同じくＬＥＤ等の発光手段を内蔵した中央電飾部１０３が設けられている。本パチンコ機１０では、中央電飾部１０３が大当たりランプとして機能し、大当たり時に点灯や点滅を行うことにより、大当たり中であることを報知する。さらに、中央電飾部１０３の左右側方には、所定のエラー時に点灯するエラー表示ランプ１０４が設けられている。また、各エラー表示ランプ１０４に隣接してスピーカＳＰ（図９参照）が設けられるとともに、当該スピーカＳＰの前側にスピーカカバー２４が取着されている。
【００７１】
前面枠セット１４の背面側にはガラスユニット１３７が取付けられている。ガラスユニット１３７は、従来の前後一対の矩形状の板ガラスが前後対を為して別々に取着されるものではなく、全体として丸形をなし、アッセンブリ化された上で取付けられている。
【００７２】
また、前面枠セット１４の右側部背面側には、後述する施錠装置６００の前鉤部材６１６，６１７，６１８に対応して、第２被係止部材としての３つの受け金具９１，９２，９３が上下方向に沿って設けられている（図４参照）。そして、前面枠セット１４の閉時においては、前鉤部材６１６，６１７，６１８が受け金具９１，９２，９３に係止されることにより、前面枠セット１４の開放が規制される（図２３等参照）。
【００７３】
次に、内枠１２（樹脂ベース３８）について説明する。上述した通り、内枠１２（樹脂ベース３８）には、窓孔３９の後側に遊技盤３０が装着されている。遊技盤３０は、その周縁部が内枠１２（樹脂ベース３８）の裏側に当接した状態で取着されている。従って、遊技盤３０の前面部の略中央部分が樹脂ベース３８の窓孔３９を通じて内枠１２の前面側に露出した状態となっている。
【００７４】
また、内枠１２（樹脂ベース３８）の下部、すなわち窓孔３９（遊技盤３０）の下方位置には、後側へ膨出した膨出部４０が形成されている。この膨出部４０の前面右側には、発射装置７０が取付けられている。本実施形態では、発射装置７０としてソレノイド式発射装置を採用している。また、膨出部４０には、後述する払出機構部３５２から上記下皿１５の排出口１６へ繋がる球通路７１が設けられている。また、発射装置７０の発射レール７０ａと後述するレール５０（外レール構成部５２）との間には所定間隔の隙間があり、この隙間より下方にファール球通路７２が形成されている。これにより、仮に、発射装置７０から発射された遊技球が後述する戻り球防止部材５３まで至らずファール球としてレール５０を逆戻りする場合には、そのファール球がファール球通路７２及び球通路７１を介して下皿１５に排出される。また、球通路７１の下側にはハーネスカバー７４が設けられている。これにより中継基板７５と発射装置７０とを接続するハーネス（図示略）をまとめている。
【００７５】
次に、遊技盤３０の構成について図６を参照して説明する。遊技盤３０には、一般入賞口３１、可変入賞装置３２、第１契機対応口（作動口）３３、第２契機対応口３４、可変表示装置ユニット３５等がルータ加工によって形成された貫通穴に配設され、遊技盤３０前面側から木ネジ等により取付けられている。周知の通り前記一般入賞口３１、可変入賞装置３２、第１契機対応口３３に遊技球が入球（入賞）すると、それぞれに対応して設けられた検出スイッチの出力により、上皿１９（または下皿１５）へ所定数の賞球が払い出される。その他に、遊技盤３０にはアウト口３６が設けられており、各種入賞部（一般入賞口３１、可変入賞装置３２、第１契機対応口３３）に入賞しなかった遊技球は、このアウト口３６を通って遊技領域外へと排出される。また、遊技盤３０には、遊技球の落下方向を適宜分散、調整等するために多数の釘が植設されているとともに、風車等の各種部材（役物）が配設されている。
【００７６】
可変表示装置ユニット３５には、第２契機対応口３４の通過をトリガとして変動表示する普通図柄表示装置４１と、第１契機対応口３３への入賞をトリガとして変動表示する特別表示装置４３と、特別表示装置４３による変動表示に合わせて変動表示する可変表示装置としての装飾図柄表示装置４２とが設けられている。
【００７７】
普通図柄表示装置４１は複数の発光手段（ＬＥＤ）を内蔵しており、遊技球が第２契機対応口３４を通過する毎に点灯表示態様が切換表示（変動表示）され、その変動表示が特定の点灯態様で数秒間停止した場合に第１契機対応口３３が所定時間だけ作動状態となる（開放される）よう構成されている。この普通図柄表示装置４１は、後述する主制御装置２６１によって直接的に表示内容が制御される。また、普通図柄表示装置４１の変動表示中に、新たに遊技球が第２契機対応口３４を通過した場合には、その分の普通図柄の変動表示は、その時点で行われている変動表示の終了後に行われる構成となっている。つまり、変動表示が待機（保留）されることとなる。この保留される変動表示の最大回数は、パチンコ機の機種毎に決められているが、本実施形態では４回まで保留され、その保留回数が保留ランプ４４にて点灯表示されるようになっている。
【００７８】
特別表示装置４３は、普通図柄表示装置４１の側方に設けられた複数の発光部により構成され、遊技球が第１契機対応口３３を通過する毎に点灯する発光部の組合せが切換えられる（変動表示される）。そして、変動表示が停止したときに点灯している発光部の組合わせにより、大当たりか否かが確定的に表示される。この特別表示装置４３についても、主制御装置２６１によって表示内容が直接的に制御される。また、特別表示装置４３の変動表示中に新たに遊技球が第１契機対応口３３に入賞した場合には、その分の変動表示は、その時点で行われている変動表示の終了後に行われる構成となっている。つまり、変動表示が待機（保留）されることとなる。この保留される変動表示の最大回数は、パチンコ機の機種毎に決められているが、本実施形態では４回まで保留され、その保留回数が保留ランプ４６にて点灯表示されるようになっている。また、大当たり状態中に新たに遊技球が第１契機対応口３３に入賞した場合、その分の変動表示についても保留される。
【００７９】
装飾図柄表示装置４２は液晶表示装置として構成されており、後述するサブ制御装置２６２によって表示内容が制御される。すなわち、装飾図柄表示装置４２においては、特別表示装置４３にて表示される結果に対応させるように、主制御装置２６１からのコマンドに基づき、サブ制御装置２６２によって補助的な表示内容が決定され、後述する表示制御装置４５によって表示が行われる。装飾図柄表示装置４２には、例えば、上、中及び下の３つの図柄列が表示される。各図柄列は複数の図柄によって構成されており、これら図柄が図柄列毎にスクロールされるようにして装飾図柄表示装置４２に変動表示され、その後、上図柄列→下図柄列→中図柄列の順に停止表示される。また、可変表示装置ユニット３５には、装飾図柄表示装置４２を囲むようにしてセンターフレーム４７が配設されている。
【００８０】
可変入賞装置３２は、通常は遊技球が入賞できない又は入賞し難い閉状態になっており、大当たり（特別遊技状態の発生）の際に、遊技球が入賞しやすい開状態とされる。具体的には、所定時間の経過又は所定個数の入賞を１ラウンドとして、可変入賞装置３２の大入賞口が所定回数（所定ラウンド数）繰り返し開放される。
【００８１】
また、遊技盤３０には、発射装置７０から発射された遊技球を遊技盤３０上部へ案内するレール５０が取付けられている。これにより、ハンドル１８の回動操作に伴い発射された遊技球はレール５０を通じて、遊技盤面上に形成された遊技領域内に案内される。レール５０は内レール構成部５１と外レール構成部５２とからなる。
【００８２】
内レール構成部５１の先端部分（図６の左上部）には戻り球防止部材５３が取着されている。これにより、一旦、レール５０から遊技盤３０の上部へと案内された遊技球が再度レール５０内に戻ってしまうといった事態が防止される。
【００８３】
また、本実施形態では、外レール構成部５２が遊技盤３０の右上部で途絶え、内レール構成部５１が遊技盤３０の右下部で途絶えている。このため、遊技領域は、レール５０及び樹脂ベース３８の窓孔３９の内周面により画定される。但し、内外レール構成部５１，５２の並行部分を除く。
【００８４】
次に、パチンコ機１０の背面の構成を図８に基づいて説明する。パチンコ機１０にはその背面（実際には内枠１２及び遊技盤３０の背面）において、各種制御基板が上下左右に並べられるようにして、一部前後に重ねられるようにして配置されており、さらに、遊技球を供給する遊技球供給装置（払出機構）や樹脂製の保護カバー等が取り付けられている。本実施形態では、各種制御基板を２つの取付台に分けて搭載して２つの制御基板ユニットを構成し、それら制御基板ユニットを個別に内枠１２又は遊技盤３０の裏面に装着するようにしている。この場合において、主基板とサブ制御基板とを一方の取付台に搭載してユニット化すると共に、払出制御基板、発射制御基板及び電源基板を他方の取付台に搭載してユニット化している。ここでは便宜上、前者のユニットを「第１制御基板ユニット２０１」と称し、後者のユニットを「第２制御基板ユニット２０２」と称することとする。また、払出機構及び保護カバーも１ユニットとして一体化されており、一般に樹脂部分を裏パックと称することもあるため、ここではそのユニットを「裏パックユニット２０３」と称する。各ユニット２０１〜２０３の詳細な構成については後述する。
【００８５】
なお、第１制御基板ユニット２０１、第２制御基板ユニット２０２及び裏パックユニット２０３は、ユニット単位で工具等を用いずとも着脱できるよう構成されており、さらに、一部に支軸部を設けて内枠１２又は遊技盤３０の裏面に対して開閉できる構成となっている。
【００８６】
まず、遊技盤３０の背面構成について説明する。上述したように遊技盤３０の中央にはルータ加工によって形成された貫通穴に対して可変表示装置ユニット３５が配設されている。この可変表示装置ユニット３５に対し、センターフレーム４７を背後から覆う樹脂製のフレームカバー２１３が後方に突出して設けられている。さらに、フレームカバー２１３の後端に、液晶表示装置たる装飾図柄表示装置４２と表示制御装置４５とが前後に重ねられた状態で着脱可能に取り付けられている。フレームカバー２１３内には、センターフレーム４７に内蔵されたＬＥＤ等を駆動するＬＥＤ制御基板などが配設されている。
【００８７】
また、遊技盤３０の裏面には、可変表示装置ユニット３５を取り囲むようにして図示しない裏枠セットが取付けられている。この裏枠セットは、遊技盤３０の裏面に張り付くようにして設けられる薄型の樹脂成形品であって、各種入賞口に入賞した遊技球を回収するための球回収機構を備えている。また、内枠１２には、裏枠セット（遊技盤３０）の下方位置において排出通路盤２１７が取付けられており、該排出通路盤２１７には排出球をパチンコ機１０外部へ排出する排出シュート２１８が形成されている。従って、一般入賞口３１等に入賞した遊技球は何れも裏枠セットの球回収機構を介して集合し、さらに排出通路盤２１７の排出シュート２１８を介してパチンコ機１０外部に排出される。なお、アウト口３６も同様に排出シュート２１８に通じており、何れの入賞口にも入賞しなかった遊技球も排出シュート２１８を介してパチンコ機１０外部に排出される。
【００８８】
また、遊技盤３０の裏面には、各種入賞口などの遊技球の通過を検出する入賞感知機構（検出スイッチ）などが設けられている。入賞感知機構にて各々検出された検出結果は、後述する主基板（主制御装置２６１）に取り込まれ、該主基板よりその都度の入賞状況に応じた払出指令（遊技球の払出個数）が払出制御基板に送信される。そして、該払出制御基板の出力により所定数の遊技球の払出が実施される。本実施形態のパチンコ機１０では、各種入賞口毎に遊技球の入賞を電気的に感知して払出が直ちに行われる。
【００８９】
第１制御基板ユニット２０１は、主制御装置２６１と、サブ制御装置２６２とを具備している。主制御装置２６１は、主たる制御を司るＣＰＵ、遊技プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を含む主基板を具備しており、この主基板が透明樹脂材料等よりなる基板ボックス２６３に収容されて構成されている。なお、基板ボックス２６３は、略直方体形状のボックスベースと該ボックスベースの開口部を覆うボックスカバーとを備えている。これらボックスベースとボックスカバーとは封印ユニットによって連結されており、基板ボックス２６３が開封された場合には、封印ユニットにおいて所定の痕跡が残るよう構成されている。これにより、基板ボックス２６３が不正に開封された旨を容易に発見することができる。
【００９０】
また、サブ制御装置２６２は、主制御装置２６１（主基板）からの指示に従い各種演出制御を司るＣＰＵや、各種プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を含むサブ制御基板を具備しており、このサブ制御基板についても当該サブ制御基板に対応する基板ボックスに収容されて構成されている。
【００９１】
第２制御基板ユニット２０２は、払出制御装置３１１、発射制御装置３１２、電源装置３１３及びカードユニット接続基板３１４を具備している。払出制御装置３１１、発射制御装置３１２及び電源装置３１３は周知の通り制御の中枢をなすＣＰＵや、その他ＲＯＭ、ＲＡＭ、各種ポート等を含む制御基板を具備しており、払出制御装置３１１の払出制御基板により、賞品球や貸出球の払出が制御される。また、発射制御装置３１２の発射制御基板により、遊技者によるハンドル１８の操作に従い発射装置等の制御が行われ、電源装置３１３の電源基板により、各種制御装置等で要する所定の電源電圧が生成され出力される。
【００９２】
上記払出制御装置３１１、発射制御装置３１２及び電源装置３１３についても、それぞれに対応する基板ボックス３１５、３１６、３１７に収容されて構成されている。但し、発射制御装置３１２（基板ボックス３１６）は、電源装置３１３（基板ボックス３１７）の裏側に配置されている。また、払出制御装置３１１が収容される基板ボックス３１５には、前述した主制御装置２６１と同様に封印ユニットが設けられ、基板ボックス３１５の開封した痕跡が残るようになっている。
【００９３】
払出制御装置３１１には状態復帰スイッチ３２１が設けられている。例えば、払出モータ部の球詰まり等、払出エラーの発生時において状態復帰スイッチ３２１が押下されると、払出モータが正逆回転され、球詰まりの解消（正常状態への復帰）が図られる。
【００９４】
また、電源装置３１３にはＲＡＭ消去スイッチ３２３が設けられている。本パチンコ機１０はバックアップ機能を有しており、万一停電が発生した際でも停電時の状態を保持し、停電からの復帰（復電）の際には停電時の状態に復帰させることができる。従って、通常手順で（例えば遊技場の営業終了時に）電源遮断すると電源遮断前の状態が記憶保持されることから、電源投入時に初期状態に戻したい場合には、ＲＡＭ消去スイッチ３２３を押しながら電源を投入する。
【００９５】
次に、裏パックユニット２０３の構成を説明する。裏パックユニット２０３は、樹脂成形された裏パック３５１と遊技球の払出機構部３５２とを一体化したものである。
【００９６】
裏パック３５１は例えばＡＢＳ樹脂により一体成形されており、パチンコ機後方に突出し略直方体形状をなす保護カバー部３５４を有する。保護カバー部３５４は左右側面及び上面が閉鎖され且つ下面のみが開放された形状をなし、少なくとも可変表示装置ユニット３５を囲むのに十分な大きさを有する。但し、本実施形態では、前述のサブ制御装置２６２及び主制御装置２６１の一部も合わせて囲む構成となっている。
【００９７】
また、払出機構部３５２は、保護カバー部３５４を迂回するようにして配設されている。すなわち、保護カバー部３５４の上方には、上側に開口したタンク３５５が設けられており、このタンク３５５には遊技場の島設備から供給される遊技球が逐次補給される。タンク３５５の下方には、例えば横方向２列の球通路を有し下流側に向けて緩やかに傾斜するタンクレール３５６が連結され、さらにタンクレール３５６の下流側には縦向きにケースレール３５７が連結されている。払出装置３５８はケースレール３５７の最下流部に設けられ、払出モータ３５８ａ等の所定の電気的構成により必要個数の遊技球の払出が適宜行われる。そして、払出装置３５８より払い出された遊技球は上記上皿１９等に供給される。
【００９８】
また、払出機構部３５２には、払出制御装置３１１から払出装置３５８への払出指令の信号を中継する払出中継基板３８１が設置されると共に、外部より主電源を取り込む電源スイッチ基板３８２が設置されている。電源スイッチ基板３８２には、電圧変換器を介して例えば交流２４Ｖの主電源が供給され、電源スイッチ３８２ａの切替操作により電源ＯＮ又は電源ＯＦＦされる。
【００９９】
次に、パチンコ機１０の電気的構成について説明する。図９は、本パチンコ機１０の電気的構成を示すブロック図である。パチンコ機１０の主制御装置２６１（主基板）には、演算装置である１チップマイコンとしてのＣＰＵ５０１が搭載されている。ＣＰＵ５０１には、該ＣＰＵ５０１により実行される各種の制御プログラムや固定値データを記憶したＲＯＭ５０２と、そのＲＯＭ５０２内に記憶される制御プログラムの実行に際して各種のデータ等を一時的に記憶するメモリであるＲＡＭ５０３と、割込回路やタイマ回路、データ送受信回路などの各種回路等が内蔵されている。
【０１００】
ＲＡＭ５０３は、パチンコ機１０の電源のオフ後においても電源装置３１３からバックアップ電圧が供給されてデータが保持（バックアップ）できる構成となっており、ＲＡＭ５０３には、各種のデータ等を一時的に記憶するメモリやエリアの他に、バックアップエリア５０３ａが設けられている。
【０１０１】
バックアップエリア５０３ａは、停電などの発生により電源が切断された場合において、電源の再入時にパチンコ機１０の状態を電源切断前の状態に復帰させるべく、電源切断時（停電発生時を含む。以下同様）のスタックポインタや、各レジスタ、Ｉ／Ｏ等の値を記憶しておくエリアである。バックアップエリア５０３ａへの書き込みは、ＮＭＩ端子（ノンマスカブル端子）への停止信号の入力により起動されるＮＭＩ割込み処理（このＮＭＩ割込みにより、電源断時の主制御装置２６１の状態がＲＡＭ５０３のバックアップエリア５０３ａに記憶される）によって停電の発生等による電源切断時に実行され、逆にバックアップエリア５０３ａに書き込まれた各値の復帰は、電源入時（停電解消による電源入を含む。以下同様）の復電処理において実行される。なお、ＣＰＵ５０１のＮＭＩ端子（ノンマスカブル割込端子）には、停電等の発生による電源断時に、後述する停電監視回路５４２から出力される停電信号ＳＫ１が入力されるように構成されており、停電の発生により、停電処理（ＮＭＩ割込み処理）が即座に実行される。
【０１０２】
かかるＲＯＭ５０２及びＲＡＭ５０３を内蔵したＣＰＵ５０１には、アドレスバス及びデータバスで構成されるバスライン５０４を介して入出力ポート５０５が接続されている。入出力ポート５０５には、後述するＲＡＭ消去スイッチ回路５４３、払出制御装置３１１、サブ制御装置２６２、特別表示装置４３、普通図柄表示装置４１、その他図示しないスイッチ等が接続されている。この構成により、上述した特別表示装置４３および普通図柄表示装置４１は、主制御装置２６１により直接的に制御される。一方、装飾図柄表示装置４２は、サブ制御装置２６２を介して制御される。
【０１０３】
サブ制御装置２６２（サブ制御基板）は、演算装置であるＣＰＵ５５１、該ＣＰＵ５５１により実行される各種の制御プログラムや固定値データを記憶したＲＯＭ５５２、該ＲＯＭ５５２内に記憶される制御プログラムの実行に際して各種のデータ等を一時的に記憶するメモリであるＲＡＭ５５３、入出力ポート５５４、バスライン５５５を備えるとともに、その他にも図示しない割込回路やタイマ回路、データ送受信回路などの各種回路等を備えている。ＲＡＭ５５３は、ＣＰＵ５５１による各種プログラムの実行時に使用されるワークデータやフラグを一時的に記憶するメモリである。
【０１０４】
入出力ポート５５４には、バスライン５５５を介してＣＰＵ５５１、ＲＯＭ５５２、ＲＡＭ５５３が接続されるとともに、表示制御装置４５が接続されている。さらに、入出力ポート５５４には、スピーカＳＰ、各種電飾部及びランプ１０２〜１０４が接続されている。
【０１０５】
サブ制御装置２６２のＣＰＵ５５１は、例えば主制御装置２６１から送信される指令信号（例えば変動パターンコマンド）に基づいて表示制御装置４５に表示制御を実行させ、装飾図柄表示装置４２に表示させる。なお、上記のように、本実施形態では、主制御装置２６１が制御する特別表示装置４３にて大当たりか否かを表示するようになっており、サブ制御装置２６２が制御する装飾図柄表示装置４２では、前記特別表示装置４３の表示に合わせた表示が行われる。
【０１０６】
また、払出制御装置３１１は、払出モータ３５８ａにより賞球や貸し球の払出制御を行うものである。演算装置であるＣＰＵ５１１は、そのＣＰＵ５１１により実行される制御プログラムや固定値データ等を記憶したＲＯＭ５１２と、ワークメモリ等として使用されるＲＡＭ５１３とを備えている。
【０１０７】
払出制御装置３１１のＲＡＭ５１３は、前述した主制御装置２６１のＲＡＭ５０３と同様に、パチンコ機１０の電源のオフ後においても電源装置３１３からバックアップ電圧が供給されてデータが保持（バックアップ）できる構成となっており、ＲＡＭ５１３には、各種のデータ等を一時的に記憶するメモリやエリアの他に、バックアップエリア５１３ａが設けられている。
【０１０８】
バックアップエリア５１３ａは、停電などの発生により電源が切断された場合において、電源の再入時にパチンコ機１０の状態を電源切断前の状態に復帰させるべく、電源切断時のスタックポインタや、各レジスタ、Ｉ／Ｏ等の値を記憶しておくエリアである。このバックアップエリア５１３ａへの書き込みは、ＮＭＩ割込み処理によって電源切断時に実行され、逆にバックアップエリア５１３ａに書き込まれた各値の復帰は、電源入時の復電処理において実行される。
【０１０９】
かかるＲＯＭ５１２及びＲＡＭ５１３を内蔵したＣＰＵ５１１には、アドレスバス及びデータバスで構成されるバスライン５１４を介して入出力ポート５１５が接続されている。入出力ポート５１５には、ＲＡＭ消去スイッチ回路５４３、主制御装置２６１、発射制御装置３１２、払出モータ３５８ａなどがそれぞれ接続されている。
【０１１０】
発射制御装置３１２は、発射装置７０による遊技球の発射を許可又は禁止するものであり、発射装置７０は、所定条件が整っている場合に駆動が許可される。具体的には、払出制御装置３１１から発射許可信号が出力されていること、遊技者がハンドル１８をタッチしていることをセンサ信号により検出していること、発射を停止させる発射停止スイッチが操作されていないことを条件に、発射装置７０が駆動され、ハンドル１８の操作量に応じた強度で遊技球が発射される。
【０１１１】
表示制御装置４５は、サブ制御装置２６２からの指示に従い、装飾図柄表示装置４２における装飾図柄の変動表示を実行するものである。この表示制御装置４５は、ＣＰＵ５２１と、プログラムＲＯＭ５２２と、ワークＲＡＭ５２３と、ビデオＲＡＭ５２４と、キャラクタＲＯＭ５２５と、画像コントローラ５２６と、入力ポート５２７と、出力ポート５２９と、バスライン５３０，５３１とを備えている。入力ポート５２７にはサブ制御装置２６２の入出力ポート５５４が接続されている。また、入力ポート５２７には、ＣＰＵ５２１、プログラムＲＯＭ５２２、ワークＲＡＭ５２３、画像コントローラ５２６が接続されている。また、画像コントローラ５２６にはバスライン５３１を介して出力ポート５２９が接続されており、その出力ポート５２９には液晶表示装置たる装飾図柄表示装置４２が接続されている。
【０１１２】
表示制御装置４５のＣＰＵ５２１は、サブ制御装置２６２から送信される表示コマンドに基づいて装飾図柄表示装置４２の表示を制御する。プログラムＲＯＭ５２２は、そのＣＰＵ５２１により実行される各種の制御プログラムや固定値データを記憶するメモリであり、ワークＲＡＭ５２３は、ＣＰＵ５２１による各種プログラムの実行時に使用されるワークデータやフラグを一時的に記憶するメモリである。
【０１１３】
ビデオＲＡＭ５２４は、装飾図柄表示装置４２に表示される表示データを記憶するメモリであり、このビデオＲＡＭ５２４の内容を書き替えることにより、装飾図柄表示装置４２の表示内容が変更される。キャラクタＲＯＭ５２５は、装飾図柄表示装置４２に表示される図柄などのキャラクタデータを記憶するメモリである。画像コントローラ５２６は、ＣＰＵ５２１、ビデオＲＡＭ５２４、出力ポート５２９のそれぞれのタイミングを調整してデータの読み書きに介在すると共に、ビデオＲＡＭ５２４に記憶される表示データを所定のタイミングで読み出して装飾図柄表示装置４２に表示させるものである。
【０１１４】
また、電源装置３１３は、パチンコ機１０の各部に電力を供給する電源部５４１と、停電等による電源遮断を監視する停電監視回路５４２と、ＲＡＭ消去スイッチ３２３に接続されてなるＲＡＭ消去スイッチ回路５４３とを備えている。電源部５４１は、図示しない電源経路を通じて、主制御装置２６１や払出制御装置３１１等に対して各々に必要な動作電源を供給する。その概要としては、電源部５４１は、外部より供給される交流２４ボルト電源を取り込み、各種スイッチやモータ等を駆動する＋１２Ｖ電源、ロジック用の＋５Ｖ電源、ＲＡＭバックアップ用のバックアップ電源などを生成し、これら＋１２Ｖ電源、＋５Ｖ電源及びバックアップ電源を主制御装置２６１や払出制御装置３１１等に対して供給する。なお、発射制御装置３１２に対しては払出制御装置３１１を介して動作電源（＋１２Ｖ電源、＋５Ｖ電源等）が供給される。
【０１１５】
停電監視回路５４２は、停電等の発生による電源断時に、主制御装置２６１のＣＰＵ５０１及び払出制御装置３１１のＣＰＵ５１１の各ＮＭＩ端子へ停電信号ＳＫ１を出力する回路である。停電監視回路５４２は、電源部５４１から出力される最大電圧である直流安定２４ボルトの電圧を監視し、この電圧が２２ボルト未満になった場合に停電（電源断）の発生と判断して、停電信号ＳＫ１を主制御装置２６１及び払出制御装置３１１へ出力する。この停電信号ＳＫ１の出力によって、主制御装置２６１及び払出制御装置３１１は、停電の発生を認識し、停電時処理（ＮＭＩ割込み処理）を実行する。
【０１１６】
なお、電源部５４１は、直流安定２４ボルトの電圧が２２ボルト未満になった後においても、かかる停電時処理の実行に充分な時間の間、制御系の駆動電圧である５ボルトの出力を正常値に維持するように構成されている。よって、主制御装置２６１及び払出制御装置３１１は、停電時処理を正常に実行し完了することができる。
【０１１７】
ＲＡＭ消去スイッチ回路５４３は、ＲＡＭ消去スイッチ３２３のスイッチ信号を取り込み、そのスイッチ３２３の状態に応じて主制御装置２６１のＲＡＭ５０３及び払出制御装置３１１のＲＡＭ５１３のバックアップデータをクリアする回路である。ＲＡＭ消去スイッチ３２３が押下された際、ＲＡＭ消去スイッチ回路５４３は、ＲＡＭ消去信号ＳＫ２を主制御装置２６１及び払出制御装置３１１に出力する。ＲＡＭ消去スイッチ３２３が押下された状態でパチンコ機１０の電源が投入されると（停電解消による電源入を含む）、主制御装置２６１及び払出制御装置３１１においてそれぞれのＲＡＭ５０３，５１３のデータがクリアされる。
【０１１８】
次に、内枠１２の施錠機構及び前面枠セット１４の施錠機構について説明する。本実施形態では、内枠１２は外枠１１に対し施錠され、前面枠セット１４は内枠１２に対し施錠される。これら両施錠機構は単一の施錠装置６００（図３等参照）によって具現化されている。後述するように施錠装置６００は、前面枠セット１４の前面側に露出するシリンダ錠７００（図１等参照）を備えており、該シリンダ錠７００の鍵穴７０２に鍵Ｋを挿入し、一方に回動操作することで内枠１２を解錠でき、他方に回動操作することで前面枠セット１４を解錠できるようになっている。
【０１１９】
施錠装置６００について図１０乃至図１７を参照して詳しく説明する。ここで、図１０は、施錠装置６００を背面左側から見た斜視図であり、図１１は、施錠装置６００を正面左側から見た斜視図である。但し、図１０，１１では、便宜上、施錠装置６００に関連する外枠１１、内枠１２及び前面枠セット１４の関連部分も併せて模式的に図示している。また、図１２は、施錠装置６００の背面図であり、図１３は右側面図、図１４は左側面図、図１５は正面図である。但し、図１２〜１５では便宜上、後述する施錠カバー７４０を省略している。図１６は、背面側から見た施錠装置６００の分解図であり、図１７は、側面側から見た施錠装置６００の分解図である。
【０１２０】
施錠装置６００は、内枠１２の背面側左側辺部に沿って取付けられている（図７参照）。施錠装置６００の外郭を構成する縦長の基枠６０１は、内枠１２の背面部に固定される取付部としての取付板６０２と、当該取付板６０２の内枠１２内方側（窓孔３９側）の端縁から後方に突出した支持部としての支持板６０３とを備えており、これらが一体となって横断面略Ｌ字状をなしている。
【０１２１】
但し、取付板６０２の内枠１２外方側縁部には、後方へ突出したフランジ部６０２ａが略全長にわたって設けられ、支持板６０３の後縁部には、内枠１２外方側へ突出したフランジ部６０３ａが複数箇所に設けられている。これらフランジ部６０２ａ，６０３ａは、後述する摺動杆６１０や各種鉤部材等の摺動動作の安定性を高めるガイド部としての機能を備えるとともに、基枠６０１内側への線材等の侵入を防ぎ、摺動杆６１０や各種鉤部材等に対する不正な解錠操作を防ぐ機能などを備えている。
【０１２２】
取付板６０２には、内枠１２への取付固定用に複数の取付孔６０４が穿設されるとともに、後述する前鉤部材６１６，６１７，６１８の挿通用に上下方向３箇所に略矩形状の鉤挿通孔６０５，６０６，６０７が形成されている。さらに、各鉤挿通孔６０５，６０６，６０７の上方位置には、それぞれ後述する前ロック部材６１９，６２０，６２１が挿通されるロック挿通孔６６７，６６８，６６９が形成されている。
【０１２３】
一方、内枠１２のうち、鉤挿通孔６０５，６０６，６０７に対応する部位には、連通孔９７，９８，９９が形成されている（図６参照）。そして、これら連通孔９７，９８，９９を介して、前鉤部材６１６，６１７，６１８が内枠１２前面側に突出している。また、各連通孔９７，９８，９９からは、前鉤部材６１６，６１７，６１８とともに、前ロック部材６１９，６２０，６２１も突出している。
【０１２４】
さて、基枠６０１の内側には、摺動部材としての長尺状の摺動杆６１０、内枠１２施錠用の第１鉤部材としての上下一対の内鉤部材６１３，６１４、各内鉤部材６１３，６１４に対応して設けられた第１ロック部材としての内ロック部材６１５，６２３、前面枠セット１４施錠用の第２鉤部材としての３つの前鉤部材６１６，６１７，６１８、各前鉤部材６１６，６１７，６１８に対応して設けられた第２ロック部材としての前ロック部材６１９，６２０，６２１などが配設されている。なお、施錠装置６００を構成する基枠６０１、摺動杆６１０、内鉤部材６１３，６１４、内ロック部材６１５，６２３、前鉤部材６１６，６１７，６１８、前ロック部材６１９，６２０，６２１などの各部材は、金属平板をプレス成形等することにより形成されている。
【０１２５】
摺動杆６１０は、支持板６０３に沿って配設されており、上下方向に摺動可能となっている。
【０１２６】
また、取付板６０２では、シリンダ錠７００の配置位置に対応する所定の上下区間が他部位より左右方向に幅広の幅広部６０２ｂとなっており、支持板６０３では、前記幅広部６０２ｂに対応する上下区間が内枠１２内方側へ膨出した膨出部６０３ｂとなっている。これは、遊技領域や各種制御基板等の設置スペースをより広く確保するために、施錠装置６００全体の横幅を極力狭くしつつ、シリンダ錠７００の配設位置においては、その設置スペースを確保するためである。また、摺動杆６１０も同様に、支持板６０３の膨出部６０３ｂに対応する部位が膨出している。但し、この摺動杆６１０の膨出部６１０ａの形成区間は、支持板６０３の膨出部６０３ｂの形成区間よりも短く設定されており、摺動杆６１０の摺動の妨げとならないようになっている。
【０１２７】
ここで、まず内枠１２の施錠機構に関連する部分について詳しく説明する。内枠１２の施錠機構を構成する内鉤部材６１３，６１４は、摺動杆６１０の内枠１２外方側（図１０左手前側）に重畳するように配設されている。但し、内鉤部材６１３，６１４と、摺動杆６１０との間には、後述の内ロック部材６１５，６２３が介在している。
【０１２８】
内鉤部材６１３，６１４は、主として摺動杆６１０と重畳する縦長の基部６１３ａ，６１４ａと、当該基部６１３ａ，６１４ａの上部から後方へ延びる突出部６１３ｂ，６１４ｂと、当該突出部６１３ｂ，６１４ｂの後端側において後方へ先細りするように設けられた略三角形状の頭部６１３ｃ，６１４ｃとから構成されている。頭部６１３ｃ，６１４ｃの下端部は、突出部６１３ｂ，６１４ｂより下方に突出しており、当該突出部分が後述するように係止部として機能する。
【０１２９】
内鉤部材６１３，６１４に対応して、摺動杆６１０及び支持板６０３の上部及び下部には、それぞれ内ガイド孔６２５，６２６及び外ガイド孔６２７，６２８が形成されている。各ガイド孔６２５〜６２８は上下方向に長い長円状をなす。そして、これら摺動杆６１０の内ガイド孔６２５，６２６及び支持板６０３の外ガイド孔６２７，６２８に対し、支持板６０３の外側（内枠１２内方側）から差し込まれたガイドピン６３１，６３２が、後述する内ロック部材６１５，６２３のガイド孔６１５ｅ，６２３ｅを介して、内鉤部材６１３，６１４（基部６１３ａ，６１４ａの上部）に固定されている。これにより、内鉤部材６１３，６１４は、基枠６０１（支持板６０３）及び摺動杆６１０に対して、上下に相対変位可能に係合されるとともに、摺動杆６１０の摺動に連動して摺動可能となる。
【０１３０】
なお、上述した支持板６０３側の複数のフランジ部６０３ａのうち、内鉤部材６１３，６１４に対応する位置に設けられたものには、当該内鉤部材６１３，６１４に対応する位置に溝部（凹部）６０３ｃが形成されている。そして、内鉤部材６１３，６１４のうち、突出部６１３ｂ，６１４ｂ及び頭部６１３ｃ，６１４ｃのみがこの溝部６０３ｃを介して支持板６０３より後方へ突出し、基部６１３ａ，６１４ａは、取付板６０２とフランジ部６０３ａとの間に収まった状態となっている。
【０１３１】
上記構成により、内鉤部材６１３，６１４は、ガイドピン６３１，６３２により左右方向への動きを規制され、かつ、取付板６０２やフランジ部６０３ａにより前後方向への動きを規制されつつ、上下方向へ摺動できるようになっている。
【０１３２】
次に内鉤部材６１３，６１４に対応して設けられた内ロック部材６１５，６２３について詳しく説明する。内ロック部材６１５，６２３は、内枠１２の施錠時において、不正な解錠操作による内鉤部材６１３，６１４の摺動変位を規制し、当該内鉤部材６１３，６１４を係止位置に維持することによって、内枠１２の不正な開放を防止するためのものである。
【０１３３】
内ロック部材６１５，６２３は、縦長の縦片部６１５ａ，６２３ａと、当該縦片部６１５ａ，６２３ａの上端部近傍から後方に向け延出した上片部６１５ｂ，６２３ｂと、縦片部６１５ａ，６２３ａの下端部から後方に向け延出した下片部６１５ｃ，６２３ｃとを備えており、全体としては後方に向け凹となる側面視略コ字状に形成されている。
【０１３４】
内ロック部材６１５，６２３は、内鉤部材６１３，６１４の内枠１２内方側に重畳するように配設されている。つまり、内鉤部材６１３，６１４と、摺動杆６１０との間に、内ロック部材６１５，６２３が配設されている。
【０１３５】
内ロック部材６１５，６２３には、上片部６１５ｂ，６２３ｂにおいて軸孔６１５ｄ，６２３ｄが設けられるとともに、縦片部６１５ａ，６２３ａにおいてガイド孔６１５ｅ，６２３ｅが形成されている。ガイド孔６１５ｅ，６２３ｅは、軸孔６１５ｄ，６２３ｄを中心にとって略円弧状に形成されている。
【０１３６】
また、内鉤部材６１３，６１４の突出部６１３ｂ，６１４ｂと頭部６１３ｃ，６１４ｃとの境界部近傍には、挿通孔６１３ｅ，６１４ｅが形成されている。そして、内枠１２外方側から挿通孔６１３ｅ，６１４ｅに対しそれぞれ差し込まれたガイドピン６３３，６３４が、内ロック部材６１５，６２３の軸孔６１５ｄ，６２３ｄに固定されている。
【０１３７】
さらに、上述したように、上記ガイドピン６３１，６３２が、内ロック部材６１５，６２３のガイド孔６１５ｅ，６２３ｅを介して、内鉤部材６１３，６１４（基部６１３ａ，６１４ａの上部）に固定されている。これにより、内ロック部材６１５，６２３は、内鉤部材６１３，６１４に対し、軸孔６１５ｄ，６２３ｄ（ガイドピン６３３，６３４）を中心として回動変位可能に軸支されるとともに、内鉤部材６１３，６１４が上下方向に摺動する場合には、これに連動して上下方向に摺動することとなる。
【０１３８】
また、内ロック部材６１５，６２３に対応して、支持板６０３側のフランジ部６０３ａには、内鉤部材６１３，６１４用の溝部６０３ｃの下方位置において、ロック挿通孔６０３ｄが形成されている。そして、このロック挿通孔６０３ｄを介して、内ロック部材６１５，６２３の下片部６１５ｃ，６２３ｃが支持板６０３より後方へ突出した状態となっている。
【０１３９】
内ロック部材６１５，６２３の縦片部６１５ａ，６２３ａの上端部には、取付板６０２側すなわち前側において、内枠１２外方側へ屈曲形成されたフック部６１５ｆ，６２３ｆが形成されている。そして、このフック部６１５ｆ，６２３ｆに付勢部材（第１維持手段及び第１付勢手段）としてのコイルばねＣ１，Ｃ２の一端が掛けられるとともに、他端が、取付板６０２に設けられたフック部６３５，６３６に掛けられている。コイルばねＣ１，Ｃ２の引張力により、通常時には、内ロック部材６１５，６２３の上部前端側が下方かつ前方へ引っ張られ、内ロック部材６１５，６２３自身はもちろんのこと、これとともに上記ガイドピン６３１〜６３４やフック部６１５ｆ，６２３ｆ等を介して内鉤部材６１３，６１４が下方へ付勢されている。つまり、鉤部材６１３，６１４は、通常時、ガイドピン６３１，６３２が支持板６０３の外ガイド孔６２７，６２８の下縁部に当接した状態で保持される。また、この状態において、内ロック部材６１５，６２３は、ガイド孔６１５ｅ，６２３ｅの上縁部がガイドピン６３１，６３２に当接した状態となり、図２４に示すような基準姿勢をとる。
【０１４０】
また、内ロック部材６１５，６２３の縦片部６１５ａ，６２３ａの前縁部には、フック部６１５ｆ，６２３ｆよりも下方位置において、前方へ突出した突起部６１５ｇ，６２３ｇが形成さている。これに対応して、摺動杆６１０の前縁部には内枠１２外方側へ屈曲形成された前作用片６１０ｂ，６１０ｃが形成されている。そして、摺動杆６１０の前作用片６１０ｂ，６１０ｃが、内ロック部材６１５，６２３の突起部６１５ｇ，６２３ｇと接触可能となっている。さらに、これら突起部６１５ｇ，６２３ｇと前作用片６１０ｂ，６１０ｃとの形成位置に対応して、内鉤部材６１３，６１４の基部６１３ａ，６１４ａの前縁部には、切欠き凹部６１３ｄ，６１４ｄが形成されている。これにより、突起部６１５ｇ，６２３ｇの動作が妨げられないようになっている。
【０１４１】
また、内鉤部材６１３，６１４の基部６１３ａ，６１４ａの上端部には、内枠１２外方側へ屈曲形成されたガード部６１３ｆ，６１４ｆが形成されている。このガード部６１３ｆ，６１４ｆは、外部から内ロック部材６１５，６２３のフック部６１５ｆ，６２３ｆ側や突起部６１５ｇ，６２３ｇ側への線材等の進入を妨げ、これらに対し線材等を引っ掛けにくくするためのものである。
【０１４２】
なお、内鉤部材６１３，６１４の摺動範囲のうち、ガイドピン６３１，６３２が、支持板６０３の外ガイド孔６２７，６２８の下縁部に当接する位置が、内鉤部材６１３，６１４が受け金具８３，８４に係止される位置となる。つまり、この位置が、内鉤部材６１３，６１４の係止位置（基準位置）に相当する。これに対し、ガイドピン６３１，６３２が、支持板６０３の外ガイド孔６２７，６２８の上縁部に当接する位置が、内鉤部材６１３，６１４が受け金具８３，８４から離脱する位置となる。つまり、この位置が、内鉤部材６１３，６１４の非係止位置に相当する。
【０１４３】
ここで、受け金具８３，８４の構成について詳しく説明する。受け金具８３，８４は、後方が開口した略箱状をなし、その前壁部８３ａ，８４ａに内鉤部材６１３，６１４が進入する鉤孔部８３ｂ，８４ｂを備えている。これにより、内鉤部材６１３，６１４は、鉤孔部８３ｂ，８４ｂを介して受け金具８３，８４内に進入した状態で、当該受け金具８３，８４の内側（前壁部８３ａ，８４ａの裏側）に係止される。また、受け金具８３，８４の前壁部８３ａ，８４ａには、鉤孔部８３ｂ，８４ｂの下方位置にロック孔部８３ｃ，８４ｃが形成されている。そして、内鉤部材６１３，６１４が受け金具８３，８４に係合した状態では、内ロック部材６１５，６２３の下片部６１５ｃ，６２３ｃがロック孔部８３ｃ，８４ｃに挿入された状態となる（図２２参照）。また、内鉤部材６１３，６１４が受け金具８３，８４に係合された状態では、内鉤部材６１３，６１４や内ロック部材６１５，６２３の先端部の周囲が、当該受け金具８３，８４の周壁部８３ｄ，８４ｄによって囲まれた状態となる。従って、受け金具８３，８４は、被係止部材としての機能と、カバー部材としての機能を併せ持つこととなる。このようにすれば、受け金具８３，８４に係止される内鉤部材６１３，６１４や内ロック部材６１５，６２３に対し、線材等を引っ掛けにくくなるため、不正解錠に対する防御性能のさらなる向上を図ることができる。
【０１４４】
次に、前面枠セット１４の施錠機構に関連する部分について説明する。前面枠セット１４の施錠機構を構成する上記前鉤部材６１６，６１７，６１８は、摺動杆６１０の内枠１２外方側において、上記取付板６０２の鉤挿通孔６０５，６０６，６０７に対応して上部、中部及び下部の３箇所に配設されている。
【０１４５】
前鉤部材６１６，６１７，６１８は、主として摺動杆６１０と重畳する縦長の基部６１６ａ，６１７ａ，６１８ａと、当該基部６１６ａ，６１７ａ，６１８ａから前方に突出した突出部６１６ｂ，６１７ｂ，６１８ｂと、当該突出部６１６ｂ，６１７ｂ，６１８ｂの前端側において前方へ先細りするように設けられた略三角形状の頭部６１６ｃ，６１７ｃ，６１８ｃとから構成されている。
【０１４６】
上述したように取付板６０２には、前鉤部材６１６，６１７，６１８に対応して鉤挿通孔６０５，６０６，６０７が形成されており、当該鉤挿通孔６０５，６０６，６０７から、突出部６１６ｂ，６１７ｂ，６１８ｂ及び頭部６１６ｃ，６１７ｃ，６１８ｃのみが前方に突出している。また、頭部６１６ｃ，６１７ｃ，６１８ｃの上端部は、突出部６１６ｂ，６１７ｂ，６１８ｂより上方に突出しており、当該突出部分が後述するように係止部として機能する。
【０１４７】
また、前鉤部材６１６，６１７，６１８に対応して、摺動杆６１０及び支持板６０３の上部、中部及び下部には、それぞれ内ガイド孔６４５，６４６，６４７及び外ガイド孔６４８，６４９，６５０が形成されている。各ガイド孔６４５〜６５０は上下方向に長い長円状をなす。そして、摺動杆６１０の内ガイド孔６４５，６４６，６４７及び支持板６０３の外ガイド孔６４８，６４９，６５０に対し、支持板６０３の外側（内枠１２内方側）から差し込まれたガイドピン６５１，６５２，６５３が、後述する前ロック部材６１９，６２０，６２１のガイド孔６１９ｅ，６２０ｅ，６２１ｅを介して、前鉤部材６１６，６１７，６１８に固定されている。これにより、前鉤部材６１６，６１７，６１８は、基枠６０１（支持板６０３）及び摺動杆６１０に対して、上下に相対変位可能に係合されるとともに、摺動杆６１０の摺動に連動して摺動可能となる。
【０１４８】
上記構成により、前鉤部材６１６，６１７，６１８は、上記ガイドピン６５１，６５２，６５３により左右方向への動きを規制され、かつ、取付板６０２やフランジ部６０３ａにより前後方向への動きを規制されつつ、上下方向へ摺動できるようになっている。
【０１４９】
次に各前鉤部材６１６，６１７，６１８に対応して設けられた前ロック部材６１９，６２０，６２１について詳しく説明する。前ロック部材６１９，６２０，６２１は、前面枠セット１４の施錠時において、不正な解錠操作による前鉤部材６１６，６１７，６１８の摺動変位を規制し、当該前鉤部材６１６，６１７，６１８を係止位置に維持することによって、前面枠セット１４の不正な開放を防止するためのものである。
【０１５０】
前ロック部材６１９，６２０，６２１は、前鉤部材６１６，６１７，６１８の内枠１２内方側に重畳するように配設されている。つまり、前鉤部材６１６，６１７，６１８と、摺動杆６１０との間に、前ロック部材６１９，６２０，６２１が配設されている。
【０１５１】
前ロック部材６１９，６２０，６２１は、縦長の縦片部６１９ａ，６２０ａ，６２１ａと、当該縦片部６１９ａ，６２０ａ，６２１ａの上端部近傍から前方に突出した上片部６１９ｂ，６２０ｂ，６２１ｂと、縦片部６１９ａ，６２０ａ，６２１ｂの下端部から前方に突出した下片部６１９ｃ，６２０ｃ，６２１ｃとを備えており、全体としては前方に向け凹となる側面視略コ字状に形成されている。
【０１５２】
前ロック部材６１９，６２０，６２１には、下片部６１９ｃ，６２０ｃ，６２１ｃにおいて軸孔６１９ｄ，６２０ｄ，６２１ｄが設けられるとともに、縦片部６１９ａ，６２０ａ，６２１ａにおいてガイド孔６１９ｅ，６２０ｅ，６２１ｅが形成されている。ガイド孔６１９ｅ，６２０ｅ，６２１ｅは、軸孔６１９ｄ，６２０ｄ，６２１ｄを中心にとって略円弧状に形成されている。
【０１５３】
また、前鉤部材６１６，６１７，６１８の突出部６１６ｂ，６１７ｂ，６１８ｂと頭部６１６ｃ，６１７ｃ，６１８ｃとの境界部近傍には、挿通孔６１６ｈ，６１７ｈ，６１８ｈが形成されている。そして、内枠１２外方側から挿通孔６１６ｈ，６１７ｈ，６１８ｈに対しそれぞれ差し込まれたガイドピン６５７，６５８，６５９が、前ロック部材６１９，６２０，６２１の軸孔６１９ｄ，６２０ｄ，６２１ｄに固定されている。
【０１５４】
さらに、上述したように、上記ガイドピン６５１，６５２，６５３が、前ロック部材６１９，６２０，６２１のガイド孔６１９ｅ，６２０ｅ，６２１ｅを介して、前鉤部材６１６，６１７，６１８（基部６１６ａ，６１７ａ，６１８ａ）に固定されている。これにより、前ロック部材６１９，６２０，６２１は、前鉤部材６１６，６１７，６１８に対し、軸孔６１９ｄ，６２０ｄ，６２１ｄ（ガイドピン６５７，６５８，６５９）を中心として回動変位可能に軸支されるとともに、前鉤部材６１６，６１７，６１８が上下方向に摺動する場合には、これに連動して上下方向に摺動することとなる。
【０１５５】
上述したように、取付板６０２には、前ロック部材６１９，６２０，６２１に対応してロック挿通孔６６７，６６８，６６９が形成されており、当該ロック挿通孔６６７，６６８，６６９を介して、上片部６１９ｂ，６２０ｂ，６２１ｂのみが、取付板６０２より前方へ突出した状態となっている。
【０１５６】
前ロック部材６１９，６２０，６２１の縦片部６１９ａ，６２０ａ，６２１ａには、前縁側（取付板６０２側）の略中央部においてフック部６１９ｆ，６２０ｆ，６２１ｆが形成されている。そして、このフック部６１９ｆ，６２０ｆ，６２１ｆに、前鉤部材６１６，６１７，６１８の切欠き凹部６１６ｊ，６１７ｊ，６１８ｊを介して、付勢部材（第２維持手段及び第２付勢手段）としてのコイルばねＣ３，Ｃ４，Ｃ５の一端が掛けられるとともに、他端が、取付板６０２に設けられたフック部６３７，６３８，６３９に掛けられている。コイルばねＣ３，Ｃ４，Ｃ５の引張力により、通常時には、前ロック部材６１９，６２０，６２１の前端側が上方かつ前方へ引っ張られ、前ロック部材６１９，６２０，６２１自身はもちろんのこと、これとともに上記ガイドピン６５１〜６５３、ガイドピン６５７〜６５９やフック部６１９ｆ，６２０ｆ，６２１ｆ等を介して前鉤部材６１６，６１７，６１８が上方へ付勢される。つまり、前鉤部材６１６，６１７，６１８は、通常時、ガイドピン６５１，６５２，６５３が支持板６０３の外ガイド孔６４８，６４９，６５０の上縁部に当接した状態で保持される。また、この状態において、前ロック部材６１９，６２０，６２１は、ガイド孔６１９ｅ，６２０ｅ，６２１ｅの下縁部がガイドピン６５１，６５２，６５３に当接した状態となり、図２４に示すような基準姿勢をとる。
【０１５７】
また、前ロック部材６１９，６２０，６２１の縦片部６１９ａ，６２０ａ，６２１ａの下端部後側には後方へ突出した突起部６１９ｇ，６２０ｇ，６２１ｇが形成さている。これに対応して、摺動杆６１０の後縁部には内枠１２外方側へ屈曲形成された後作用片６１０ｄ，６１０ｅ，６１０ｆが形成されている。そして、摺動杆６１０の後作用片６１０ｄ，６１０ｅ，６１０ｆが、前ロック部材６１９，６２０，６２１の突起部６１９ｇ，６２０ｇ，６２１ｇと接触可能となっている。さらに、これら突起部６１９ｇ，６２０ｇ，６２１ｇと後作用片６１０ｄ，６１０ｅ，６１０ｆとの形成位置に対応して、前鉤部材６１６，６１７，６１８の基部６１６ａ，６１７ａ，６１８ａの後縁部には、内枠１２外方側へ膨出した膨出凹部６１６ｇ，６１７ｇ，６１８ｇが形成されている。これにより、摺動杆６１０の後作用片６１０ｄ，６１０ｅ，６１０ｆの動作が妨げられないようになっている。膨出凹部６１６ｇ，６１７ｇ，６１８ｇは、ガード部としての機能と有しており、外部から前ロック部材６１９，６２０，６２１の突起部６１９ｇ，６２０ｇ，６２１ｇ側への線材等の進入を妨げ、これらに対し線材等を引っ掛けにくくしている。
【０１５８】
なお、前鉤部材６１６，６１７，６１８の摺動範囲のうち、ガイドピン６５１，６５２，６５３が、支持板６０３の外ガイド孔６４８，６４９，６５０の上縁部に当接する位置が、前鉤部材６１６，６１７，６１８が受け金具９１，９２，９３に係止される位置となる。つまり、この位置が、前鉤部材６１６，６１７，６１８の係止位置（基準位置）に相当する。
【０１５９】
これに対し、ガイドピン６５１，６５２，６５３が、支持板６０３の外ガイド孔６４８，６４９，６５０の下縁部に当接する位置が、前鉤部材６１６，６１７，６１８が受け金具９１，９２，９３から離脱する位置となる。つまり、この位置が、前鉤部材６１６，６１７，６１８の非係止位置に相当する。
【０１６０】
ここで、受け金具９１，９２，９３の構成について詳しく説明する。受け金具９１，９２，９３は、前面枠セット１４の背面側に固定される取付部９１ａ，９２ａ，９３ａと、当該取付部９１ａ，９２ａ，９３ａから後方へ延出した延出部９１ｂ，９２ｂ，９３ｂ、当該延出部９１ｂ，９２ｂ，９３ｂの後端部から前面枠セット１４の内方側へ延出し、前鉤部材６１６，６１７，６１８が係合される係合部９１ｃ，９２ｃ，９３ｃとを備えている。
【０１６１】
また、取付部９１ａ，９２ａ，９３ａには、前鉤部材６１６，６１７，６１８に対応して、差込み孔９１ｄ，９２ｄ，９３ｄが形成されており、前鉤部材６１６，６１７，６１８が受け金具９１，９２，９３に係合された際には、前鉤部材６１６，６１７，６１８の頭部６１６ｃ，６１７ｃ，６１８ｃの先端が差込み孔９１ｄ，９２ｄ，９３ｄに差し込まれた状態となる（図２３参照）。
【０１６２】
また、受け金具９１，９２，９３の係合部９１ｃ，９２ｃ，９３ｃには、前ロック部材６１９，６２０，６２１に対応して挿通孔９１ｅ，９２ｅ，９３ｅが形成されており、前鉤部材６１６，６１７，６１８が受け金具９１，９２，９３に係合された際には、前ロック部材６１９，６２０，６２１の上片部６１９ｂ，６２０ｂ，６２１ｂが挿通孔９１ｅ，９２ｅ，９３ｅに挿通された状態となる（図２３参照）。
【０１６３】
また、摺動杆６１０は、通常時、内ガイド孔６２５，６２６の下縁部が支持板６０３の外ガイド孔６２７，６２８の下縁部と略同一高さ位置となる位置で、かつ、内ガイド孔６４５，６４６，６４７の上縁部が支持板６０３の外ガイド孔６４８，６４９，６５０の上縁部と略同一高さ位置となる位置において保持されている。この位置が摺動杆６１０の基準位置に相当する。摺動杆６１０が基準位置にある場合には、内ガイド孔６２５，６２６の下縁部が内鉤部材６１３，６１４のガイドピン６３１，６３２と係合すること、つまりコイルばねＣ１，Ｃ２の引張力によって、上方への動作が抑えられた状態にあるとともに、内ガイド孔６４５，６４６，６４７の上縁部が前鉤部材６１６，６１７，６１８のガイドピン６５１，６５２，６５３と係合すること、つまりコイルばねＣ３，Ｃ４，Ｃ５の引張力によって、下方への動作が抑えられた状態にある。そして、後述するシリンダ錠７００が操作された場合には、コイルばねＣ１等の引張力に抗して上方又は下方へ摺動変位する。
【０１６４】
さて、取付板６０２の幅広部６０２ｂには、錠部材としてのシリンダ錠７００が取付けられており、その前面側は前面枠セット１４の前面側に露出している。
【０１６５】
図１８に示すように、シリンダ錠７００は、略筒状をなすシリンダ本体７０１と、シリンダ本体７０１内部に設けられ、内部に鍵穴７０２を有してなる錠軸７０３と、シリンダ本体７０１の外周に設けられた外筒７０４とを備えている。
【０１６６】
シリンダ錠７００は、取付板６０２の取付孔６０２ｃに対しシリンダ本体７０１を挿通した状態で、フランジ部７０５を取付板６０２の背面側にネジ止めすることにより固定されている。
【０１６７】
シリンダ本体７０１には、該シリンダ本体７０１の内外を連通する上下８つずつ、合計１６個の透孔７０６が形成されている。これに対応して、錠軸７０３にも、各透孔７０６と連通する１６個の透孔７０８が形成されている。かかる透孔７０８の鍵穴７０２側は、後述するピン７１４等の収容部材が鍵穴７０２内に脱落しないように他の部位よりも小径に形成されている。
【０１６８】
各透孔７０６内には、それぞれバネ７０９が収容されている。バネ７０９の一端は前記外筒７０４に当接し、他端には台座７１１が連結されている。また、各透孔７０８内には、前記台座７１１に支持されるようにして、複数のスペーサ７１２，７１３及びピン７１４が収容されている。そして、これらピン７１４、スペーサ７１２，７１３、台座７１１は、バネ７０９の伸縮によって各透孔７０６，７０８内を上下動可能となっている。このうち、ピン７１４は、前記透孔７０８の鍵穴７０２側の小径部を介して鍵穴７０２内に出没可能となっている。
【０１６９】
上記構成により、鍵穴７０２内への鍵Ｋの挿入時には、当該鍵Ｋの上下両側の凹凸形状に沿って各ピン７１４等が上下動する。そして、鍵Ｋの挿入完了状態にあっては、図１９に示すように各ピン７１４がそれぞれ鍵Ｋの溝に入り込んだ状態となり、ピン７１４の基端面、又は、スペーサ７１２若しくは７１３の一方の端面と、錠軸７０３の外周面とが面一になる。これにより、鍵Ｋの挿入完了状態にあっては、鍵Ｋの回動操作に伴って錠軸７０３が回動可能となる。つまり、このシリンダ錠７００は、少なくとも鍵穴７０２に鍵Ｋを挿し込まない限り錠軸７０３を回動させることができない内部構造となっている。
【０１７０】
また、錠軸７０３の後端部には、鍵穴７０２に挿入された鍵Ｋの回動動作を摺動杆６１０に伝達する係合部材としてのカム板７２０が固定されている。
【０１７１】
カム板７２０は、上下一対の上係合爪７２０ａ及び下係合爪７２０ｂを備えている。これらの係合爪７２０ａ，７２０ｂは、カム板７２０の回動方向に所定間隔を置いて形成されている。
【０１７２】
これに合わせて、摺動杆６１０の膨出部６１０ａには、上係合爪７２０ａが出入可能な上係合孔７２５と、下係合爪７２０ｂが出入可能な下係合孔７２６とが形成されている。また、支持板６０３には、両係合爪７２０ａ，７２０ｂの動作を妨げないように透孔７３０が形成されている。
【０１７３】
上記構成のもと、シリンダ錠７００の鍵穴７０２に鍵Ｋが挿し込まれていない状態で、錠軸７０３及びカム板７２０が基準位置にある場合には、図１０に示すように、上係合爪７２０ａの先端が、摺動杆６１０の上係合孔７２５に挿通状態となるとともに、下係合爪７２０ｂの先端が、摺動杆６１０の下係合孔７２６に挿通状態となる。
【０１７４】
また、上述したように、本実施形態のシリンダ錠７００は、鍵穴７０２に鍵Ｋの挿入がない場合には錠軸７０３及びカム板７２０を回動させることができない状態（変位不能となるロック状態）となるため、カム板７２０が基準位置にある場合には、係合爪７２０ａ，７２０ｂにより摺動杆６１０の摺動が規制されることとなる。例えば、仮に鍵Ｋを用いずに、基準位置にある摺動杆６１０に対し線材等を不正に引っ掛けて、当該摺動杆６１０に対し解錠方向への外力がかけられた場合には、係合爪７２０ａ，７２０ｂが摺動杆６１０の係合孔７２５，７２６の縁部に引っ掛かり、摺動杆６１０の解錠方向への摺動変位が、係合孔７２５等の遊び長を除き実質的に規制される。
【０１７５】
また、施錠装置６００には、シリンダ錠７００の背面側を覆うようにして施錠カバー７４０がネジ等の固定手段により取付固定されている。施錠カバー７４０によって、カム板７２０と摺動杆６１０との係合部が覆われるとともに、摺動杆６１０の膨出部６１０ａ略全体（上下の段差部を含む）が覆われている。
【０１７６】
次に、施錠装置６００の作用について詳しく説明する。先ず内枠１２の施錠及び解錠について詳しく説明する。内枠１２の施錠状態においては、摺動杆６１０が基準位置をとることにより、上述したように外枠１１の内側に固定された受け金具８３，８４に対して内鉤部材６１３，６１４の頭部６１３ｃ，６１４ｃが係止され、内枠１２の開放が規制されている（図２２，２４参照）。なお、内鉤部材６１３，６１４が受け金具８３，８４に係合された状態では、内ロック部材６１５，６２３の下片部６１５ｃ，６２３ｃがロック孔部８３ｃ，８４ｃに挿通された状態となる（図２２参照）。
【０１７７】
仮に、内枠１２の開放状態において、係止位置にある内鉤部材６１３（６１４）の突出部６１３ｂ（６１４ｂ）や頭部６１３ｃ（６１４ｃ）に対し線材等を引っ掛けて、摺動杆６１０を介さず、内鉤部材６１３（６１４）に対し解錠方向（上方）への外力がかけられると、図２５に示すように内鉤部材６１３（６１４）が上方へ摺動するとともに、これに連動して内ロック部材６１５（６２３）が上方へ摺動する。この際、内ロック部材６１５（６２３）は、コイルばねＣ１（Ｃ２）の引張力により取付板６０２側（前方かつ下方）へ引き付けられるため、通常時の基準姿勢を維持しつつ上方へ摺動する。この基準姿勢を維持した状態が本実施形態における内ロック部材６１５（６２３）の第１状態に相当する。
【０１７８】
従って、内枠１２の施錠状態において、鍵Ｋを用いることなく、係止位置にある内鉤部材６１３（６１４）に対し線材等を引っ掛かける等して不正に上記同様の解錠操作を行った場合には、内ロック部材６１５（６２３）の下片部６１５ｃ（６２３ｃ）が受け金具８３（８４）の前壁部８３ａ（８４ａ）に引っ掛かることとなる。つまり、内鉤部材６１３（６１４）を解錠方向へ摺動させようとしても、その動きは、ロック孔部８３ｃ（８４ｃ）等の遊び分を除き実質的に規制される。もちろん、ロック孔部８３ｃ（８４ｃ）の遊び量は、内ロック部材６１５（６２３）の下片部６１５ｃ（６２３ｃ）が受け金具８３（８４）の前壁部８３ａ（８４ａ）に当接した状態でも、内鉤部材６１３（６１４）の頭部６１３ｃ（６１４ｃ）が受け金具８３（８４）から離脱しない程度に設定されている。結果として、内鉤部材６１３（６１４）は非係止位置まで変位せず、内枠１２の開放は許容されない。
【０１７９】
正規に内枠１２を解錠する際には、シリンダ錠７００の鍵穴７０２に挿入した鍵Ｋを図１における時計回り方向に回動させる。この操作が本実施形態における第１の操作に相当する。これにより、図２０（ａ），（ｂ）に示すように、カム板７２０が同方向に回動して、下係合爪７２０ｂが摺動杆６１０の下係合孔７２６の上縁部に接触し、当該下係合爪７２０ｂに押上げられるようにして摺動杆６１０が上方に摺動する。
【０１８０】
摺動杆６１０が上方へ摺動すると、図２６（ａ）に示すように、まず摺動杆６１０の前作用片６１０ｂ（６１０ｃ）が、内ロック部材６１５（６２３）の突起部６１５ｇ（６２３ｇ）に接触し、これを上方へ押し上げる。すると、内ロック部材６１５（６２３）は、コイルばねＣ１（Ｃ２）の引張力に抗して回動変位して、下片部６１５ｃ（６２３ｃ）が前方（取付板６０２側）へやや引っ込んだ状態となる。この状態が、本実施形態における内ロック部材６１５（６２３）の第２状態に相当する。この状態になると、下片部６１５ｃ（６２３ｃ）が受け金具８３（８４）のロック孔部８３ｃ（８４ｃ）から抜け出した状態となり、ロック状態が解除される。
【０１８１】
さらに、摺動杆６１０が上方へ摺動すると、摺動杆６１０の内ガイド孔６２５（６２６）の下縁部によってガイドピン６３１（６３２）が引き上げられ、図２６（ｂ）に示すように、コイルばねＣ１（Ｃ２）の引張力に抗して内鉤部材６１３（６１４）が上方へ摺動する。この際、内ロック部材６１５（６２３）は、内鉤部材６１３（６１４）とともに上方へ摺動する。これにより、内鉤部材６１３（６１４）と受け金具８３（８４）との係合が解除され、内枠１２の開放が許容される。
【０１８２】
なお、前鉤部材６１６，６１７，６１８が係止位置（基準位置）にある場合、ガイドピン６５１，６５２，６５３の係合された摺動杆６１０の内ガイド孔６４５，６４６，６４７の下部や、摺動杆６１０の後作用片６１０ｄ，６１０ｅ，６１０ｆの差し込まれる前鉤部材６１６，６１７，６１８の膨出凹部６１６ｇ，６１７ｇ，６１８ｇの上部には、ガイドピン６５１，６５２，６５３や後作用片６１０ｄ，６１０ｅ，６１０ｆが相対変位するスペースが確保されている。これにより、摺動杆６１０が上方へ摺動変位した場合でも、前鉤部材６１６，６１７，６１８は摺動せず、そのままの状態を維持できるようになっている。
【０１８３】
一方、内枠１２を施錠する際には、鍵Ｋを用いることなく施錠を行うことができるよう構成されている。より詳しくは、開状態にある内枠１２を閉じていくと、内鉤部材６１３，６１４の頭部６１３ｃ，６１４ｃの傾斜部位が受け金具８３，８４の鉤孔部８３ｂ，８４ｂの下辺に接触する。さらに、内枠１２を閉じていくと、内鉤部材６１３，６１４が上方へ押され、コイルばねＣ１，Ｃ２の引張力に抗して一旦上方へ摺動する。この際、内ロック部材６１５，６２３は、前壁部８３ａ，８４ａに当接して回動変位する。その後、内鉤部材６１３，６１４の頭部６１３ｃ，６１４ｃが前壁部８３ａ，８４ａを越えると、コイルばねＣ１，Ｃ２の引張力により内鉤部材６１３，６１４が元の位置に戻り、前壁部８３ａ，８４ａの裏側に係止される。内鉤部材６１３，６１４が元の位置に戻ると、内ロック部材６１５，６２３も下方へ下がって元の姿勢に戻り、下片部６１５ｃ，６２３ｃがロック孔部８３ｃ，８４ｃに挿通された状態となる。これにより、施錠が完了し、内枠１２の開放が規制された状態となるとともに、内ロック部材６１５，６２３によりロックがかかった状態（ロック状態）となる。
【０１８４】
次に前面枠セット１４の施錠及び解錠について詳しく説明する。前面枠セット１４の施錠状態においては、摺動杆６１０が基準位置をとることにより、上述したように前面枠セット１４に取付けられた受け金具９１，９２，９３（係合部９１ｃ，９２ｃ，９３ｃ）に対して前鉤部材６１６，６１７，６１８の頭部６１６ｃ，６１７ｃ，６１８ｃが係止され、前面枠セット１４の開放が規制されている（図２３，２４参照）。なお、前鉤部材６１６，６１７，６１８が受け金具９１，９２，９３に係合された状態では、頭部６１６ｃ，６１７ｃ，６１８ｃの先端が取付部９１ａ，９２ａ，９３ａの差込み孔９１ｄ，９２ｄ，９３ｄに差し込まれた状態となるとともに、係合部９１ｃ，９２ｃ，９３ｃの挿通孔９１ｅ，９２ｅ，９３ｅに対し、前ロック部材６１９，６２０，６２１の上片部６１９ｂ，６２０ｂ，６２１ｂが挿通された状態となる（図２３参照）。
【０１８５】
仮に、前面枠セット１４の開放状態において、係止位置にある前鉤部材６１６（６１７，６１８）の突出部６１６ｂ（６１７ｂ，６１８ｂ）や頭部６１６ｃ（６１７ｃ，６１８ｃ）に対し線材等を引っ掛けて、摺動杆６１０を介さず、前鉤部材６１６（６１７，６１８）に対し解錠方向（下方）への外力がかけられると、図２７に示すように前鉤部材６１６（６１７，６１８）が下方へ摺動するとともに、これに連動して前ロック部材６１９（６２０，６２１）が下方へ摺動する。この際、前ロック部材６１９（６２０，６２１）は、コイルばねＣ３（Ｃ４，Ｃ５）の引張力により取付板６０２側（前方かつ上方）へ引き付けられるため、通常時の基準姿勢を維持しつつ下方へ摺動する。この基準姿勢を維持した状態が本実施形態における前ロック部材６１９（６２０，６２１）の第１状態に相当する。
【０１８６】
従って、前面枠セット１４の施錠状態において、鍵Ｋを用いることなく、係止位置にある前鉤部材６１６（６１７，６１８）に対し線材等を引っ掛かける等して不正に上記同様の解錠操作を行った場合には、前ロック部材６１９（６２０，６２１）の上片部６１９ｂ（６２０ｂ，６２１ｂ）が受け金具９１（９２，９３）の係合部９１ｃ（９２ｃ，９３ｃ）の挿通孔９１ｅ（９２ｅ，９３ｅ）の下縁部に引っ掛かることとなる。つまり、前鉤部材６１６（６１７，６１８）を解錠方向へ摺動させようとしても、その動きは、挿通孔９１ｅ（９２ｅ，９３ｅ）等の遊び分を除き実質的に規制される。もちろん、挿通孔９１ｅ（９２ｅ，９３ｅ）の遊び量は、前ロック部材６１９（６２０，６２１）の上片部６１９ｂ（６２０ｂ，６２１ｂ）が係合部９１ｃ（９２ｃ，９３ｃ）の挿通孔９１ｅ（９２ｅ，９３ｅ）の下縁部に当接した状態でも、前鉤部材６１６（６１７，６１８）の頭部６１６ｃ（６１７ｃ，６１８ｃ）が受け金具９１（９２，９３）から離脱しない程度に設定されている。結果として、前鉤部材６１６（６１７，６１８）は非係止位置まで変位せず、前面枠セット１４の開放は許容されない。
【０１８７】
正規に前面枠セット１４を解錠する際には、シリンダ錠７００の鍵穴７０２に挿入した鍵Ｋを図１における反時計回り方向に回動させる。この操作が本実施形態における第２の操作に相当する。これにより、図２１（ａ），（ｂ）に示すように、カム板７２０が同方向に回動して、上係合爪７２０ａが摺動杆６１０の上係合孔７２５の下縁部に接触し、当該上係合爪７２０ａに押下げられるようにして摺動杆６１０が下方に摺動する。
【０１８８】
摺動杆６１０が下方へ摺動すると、図２８（ａ）に示すように、まず摺動杆６１０の後作用片６１０ｄ（６１０ｅ、６１０ｆ）が、前ロック部材６１９（６２０，６２１）の突起部６１９ｇ（６２０ｇ，６２１ｇ）に接触し、これを下方へ押し下げる。すると、前ロック部材６１９（６２０，６２１）は、コイルばねＣ３（Ｃ４，Ｃ５）の引張力に抗して回動変位して、上片部６１９ｂ（６２０ｂ，６２１ｂ）が後方（フランジ部６０３ａ側）へやや引っ込んだ状態となる。この状態が、本実施形態における前ロック部材６１９（６２０，６２１）の第２状態に相当する。この状態になると、上片部６１９ｂ（６２０ｂ，６２１ｂ）が受け金具９１（９２，９３）の挿通孔９１ｅ（９２ｅ，９３ｅ）から抜け出した状態となり、ロック状態が解除される。
【０１８９】
さらに、摺動杆６１０が下方へ摺動すると、図２８（ｂ）に示すように、摺動杆６１０の内ガイド孔６４５（６４６，６４７）の上縁部によってガイドピン６５１（６５２，６５３）が引き下げられ、コイルばねＣ３（Ｃ４，Ｃ５）の引張力に抗して前鉤部材６１６（６１７，６１８）が下方へ摺動する。この際、前ロック部材６１９（６２０，６２１）は、前鉤部材６１６（６１７，６１８）とともに下方へ摺動する。これにより、前鉤部材６１６（６１７，６１８）と受け金具９１（９２，９３）との係合が解除され、前面枠セット１４の開放が許容される。
【０１９０】
なお、内鉤部材６１３，６１４が係止位置（基準位置）にある場合、ガイドピン６３１，６３２の係合された摺動杆６１０の内ガイド孔６２５，６２６の上部や、摺動杆６１０の前作用片６１０ｂ，６１０ｃが差し込まれる内鉤部材６１３，６１４の切欠き凹部６１３ｄ，６１４ｄの下部には、ガイドピン６３１，６３２や前作用片６１０ｂ，６１０ｃが相対変位するスペースが確保されている。これにより、摺動杆６１０が下方へ摺動変位した場合でも、内鉤部材６１３，６１４は摺動せず、そのままの状態を維持できるようになっている。
【０１９１】
一方、前面枠セット１４を施錠する際には、鍵Ｋを用いることなく施錠を行うことができるよう構成されている。より詳しくは、開状態にある前面枠セット１４を閉じていくと、前鉤部材６１６，６１７，６１８の頭部６１６ｃ，６１７ｃ，６１８ｃの傾斜部位が受け金具９１，９２，９３の係合部９１ｃ，９２ｃ，９３ｃ下辺に接触する。さらに、前面枠セット１４を閉じていくと、前鉤部材６１６，６１７，６１８が下方へ押され、コイルばねＣ３，Ｃ４，Ｃ５の引張力に抗して一旦下方へ摺動する。この際、前ロック部材６１９，６２０，６２１は、係合部９１ｃ，９２ｃ，９３ｃの背面部に当接して回動変位する。その後、前鉤部材６１６，６１７，６１８の頭部６１６ｃ，６１７ｃ，６１８ｃが係合部９１ｃ，９２ｃ，９３ｃを越えると、コイルばねＣ３，Ｃ４，Ｃ５の引張力により前鉤部材６１６，６１７，６１８が元の位置に戻り、係合部９１ｃ，９２ｃ，９３ｃに係止される。この際、頭部６１６ｃ，６１７ｃ，６１８ｃの先端が取付部９１ａ，９２ａ，９３ａの差込み孔９１ｄ，９２ｄ，９３ｄに差し込まれた状態となる。前鉤部材６１６，６１７，６１８が元の位置に戻ると、前ロック部材６１９，６２０，６２１も上方へ上がって元の姿勢に戻り、上片部６１９ｂ，６２０ｂ，６２１ｂが係合部９１ｃ，９２ｃ，９３ｃの挿通孔９１ｅ，９２ｅ，９３ｅに挿通された状態となる。これにより、施錠が完了し、前面枠セット１４の開放が規制された状態となるとともに、前ロック部材６１９，６２０，６２１によりロックがかかった状態（ロック状態）となる。
【０１９２】
以上詳述したように、本実施形態では、内ロック部材６１５，６２３や前ロック部材６１９，６２０，６２１を備えることにより、内枠１２や前面枠セット１４の施錠時において、鍵Ｋを用いずに線材等によって内鉤部材６１３，６１４や前鉤部材６１６，６１７，６１８に対し直接の解錠操作、すなわち不正な解錠操作が行われた場合には、内鉤部材６１３，６１４や前鉤部材６１６，６１７，６１８の解錠方向への摺動が規制される。つまり、内鉤部材６１３，６１４や前鉤部材６１６，６１７，６１８は係止位置に維持されるため、内枠１２や前面枠セット１４の開放は許容されない。
【０１９３】
一方、鍵Ｋを用いて正規に解錠操作を行った場合には、摺動杆６１０から力を受けることにより、内ロック部材６１５，６２３や前ロック部材６１９，６２０，６２１が状態変化し、内鉤部材６１３，６１４や前鉤部材６１６，６１７，６１８が非係止位置へ摺動可能となる。つまり、内鉤部材６１３，６１４や前鉤部材６１６，６１７，６１８が受け金具８３，８４や受け金具９１，９２，９３から離脱し、内枠１２や前面枠セット１４の開放が許容される。
【０１９４】
本実施形態の内ロック部材６１５，６２３や前ロック部材６１９，６２０，６２１は、外枠１１本体や前面枠セット１４本体に当接する等して状態変化する構成ではない。従って、内ロック部材６１５，６２３と外枠１１本体との当接位置関係や、前ロック部材６１９，６２０，６２１と前面枠セット１４本体との当接位置関係などを考慮する必要がないため、例えば内ロック部材６１５等のうち受け金具８３等と係り合う下片部６１５ｃ等の前後長を予め余裕をもって長めに設計しておくことができ、内枠１２と外枠１１との間や、内枠１２と前面枠セット１４との間にある程度の遊びを設けたとしても、受け金具８３，８４や受け金具９１，９２，９３に対し内ロック部材６１５，６２３や前ロック部材６１９，６２０，６２１がより確実に係止されやすい。結果として、仮に内枠１２と外枠１１との組付誤差や、内枠１２と前面枠セット１４との組付誤差が大きくなった場合でも、当該組付誤差による内ロック部材６１５，６２３や前ロック部材６１９，６２０，６２１の機能低下といった不具合は低減される。換言すれば、より大きな製造誤差や組付誤差を許容することができ、歩留まり性が向上する。
【０１９５】
また、内枠１２や前面枠セット１４を無理やり引っ張る等した場合でも、内ロック部材６１５，６２３と受け金具８３，８４との係合や、前ロック部材６１９，６２０，６２１と受け金具９１，９２，９３との係合が簡単に解除され、内枠１２や前面枠セット１４が開放されてしまうおそれも低い。さらに、内ロック部材６１５，６２３や前ロック部材６１９，６２０，６２１は、摺動杆６１０ではなく、内鉤部材６１３，６１４や前鉤部材６１６，６１７，６１８の解錠方向への摺動を直接的に規制しているため、より確実に不正解錠を抑制することができる。
【０１９６】
また、仮に線材等を用いて内ロック部材６１５，６２３や前ロック部材６１９，６２０，６２１を状態変化させるとともに、内鉤部材６１３，６１４や前鉤部材６１６，６１７，６１８を不正に解錠操作しようとした場合には、内鉤部材６１３等と内ロック部材６１５等とにそれぞれ引っ掛けた線材等を少なくとも２方向に操作しなければならないため、不正解錠操作が行いにくくなる。
【０１９７】
結果として、線材等を用いた不正解錠に対する防御性能が格段に向上する。
【０１９８】
また、内ロック部材６１５，６２３や前ロック部材６１９，６２０，６２１を、これに対応する内鉤部材６１３，６１４や前鉤部材６１６，６１７，６１８と、摺動杆６１０との間に配設することにより、内ロック部材６１５等の露出する部位が減る。従って、内ロック部材６１５等に線材等を引っ掛けたり、金属片等を押し当てたりすることのできる部位の露出度も減り、上述したような不正解錠操作が行いにくくなる。
【０１９９】
さらに、支持板６０３の後縁部にフランジ部６０３ａが設けられていることにより、内鉤部材６１３等と摺動杆６１０との隙間から線材等を進入させ、内ロック部材６１５等に引っ掛けるといった不正行為がより困難となる。
【０２００】
加えて、内鉤部材６１３，６１４にはガード部６１３ｆ，６１４ｆが設けられ、前鉤部材６１６，６１７，６１８にはガード部として機能する膨出凹部６１６ｇ，６１７ｇ，６１８ｇが設けられている。これにより、内ロック部材６１５，６２３のフック部６１５ｆ，６２３ｆや突起部６１５ｇ，６２３ｇ、前ロック部材６１９，６２０，６２１の突起部６１９ｇ，６２０ｇ，６２１ｇなどに対し線材等を引っ掛けにくくなる。
【０２０１】
結果として、線材等を用いた不正解錠に対する防御性能をさらに高めることができる。
【０２０２】
また、本実施形態では、摺動杆６１０を共用しつつも、内枠１２と前面枠セット１４とを別々に開放でき、メンテナンス時等の作業性の向上を図るとともに、部品点数の増加を抑制することができる。このような構成では、内鉤部材６１３，６１４や前鉤部材６１６，６１７，６１８を摺動杆６１０に対して上下動可能に係合する構成を採用せざるを得ないため、内鉤部材６１３，６１４等に対する直接の解錠操作によっては当該内鉤部材６１３，６１４等が上下動しないようにする上記防御機能がより奏効することとなる。
【０２０３】
さらに、内鉤部材６１３，６１４や前鉤部材６１６，６１７，６１８は、それぞれ独立して摺動変位するように構成されているため、不正行為により仮に内鉤部材６１３，６１４のいずれか一方、又は、前鉤部材６１６，６１７，６１８のいずれかが解錠方向へ摺動させられてしまった場合でも、他は摺動しないため、内枠１２や前面枠セット１４の施錠状態が保持され、開放は許容されない。結果として、内鉤部材６１３等の解錠方向への摺動変位を規制する内ロック部材６１５等との相乗効果により、不正解錠に対する防御性能がさらに向上する。
【０２０４】
また、本実施形態では、内枠１２や前面枠セット１４を施錠する際に、鍵Ｋを用いることなく施錠を行うことができるように構成されている。より詳しくは、内枠１２等を施錠する際に、コイルばねＣ１等の引張力に抗して、内鉤部材６１３等が受け金具８３等に接触して一旦解錠方向に変位するとともに、内ロック部材６１５等が受け金具８３等に接触して回動変位する。その後、コイルばねＣ１等の引張力により、内鉤部材６１３等が元の位置に戻り、施錠が完了すると、内ロック部材６１５等も元の姿勢に戻る。これにより、内枠１２等の開放が規制された状態となるとともに、内ロック部材６１５等によりロックがかかったロック状態となる。このような構成とすることで、内ロック部材６１５等が邪魔になることなく、スムーズに内枠１２等を閉めることができ、作業性が向上する。
【０２０５】
なお、上述した実施形態の記載内容に限定されず、例えば次のように実施してもよい。
【０２０６】
（ａ）施錠装置６００の構成は上記実施形態に限定されるものではない。例えば、上記実施形態では、内枠１２の施錠機構及び前面枠セット１４の施錠機構が、単一の施錠装置６００によって具現化されている。これに限らず、例えば前面枠セット１４が内枠１２と一体形成された構成等においては、当該前面枠セット１４の施錠機構を省略した構成としてもよい。また、内枠１２の施錠機構となる施錠装置と、前面枠セット１４の施錠機構となる施錠装置とを別々に設けた構成としてもよい。この場合、例えば内枠１２の施錠機構となる施錠装置を外枠１１側に備える構成としてもよい。
【０２０７】
（ｂ）上記実施形態では、内枠１２の施錠機構、及び前面枠セット１４の施錠機構の両施錠機構とも、内ロック部材６１５，６２３や前ロック部材６１９，６２０，６２１等よりなるロック機構を備えた構成となっている。これに限らず、少なくとも一方の施錠機構にのみ上記ロック機構を採用した構成としてもよい。
【０２０８】
（ｃ）上記実施形態では、内枠１２の施錠機構に関しては、両内鉤部材６１３，６１４に対応して内ロック部材６１５，６２３が設けられ、前面枠セット１４の施錠機構に関しては、３つの前鉤部材６１６，６１７，６１８すべてに対応して前ロック部材６１９，６２０，６２１が設けられた構成となっている。これに限らず、例えば内枠１２の施錠機構に関しては、２つの内鉤部材６１３，６１４のうちのいずれか一方のみに対応して内ロック部材を備えた構成としてもよい。また、前面枠セット１４の施錠機構に関しては、３つの前鉤部材６１６，６１７，６１８のうちの少なくとも１つに対応して前ロック部材が設けられた構成としてもよい。少なくとも１つに対応して設けられていれば、不正解錠に対する防御性能を十分に発揮することはできる。
【０２０９】
（ｄ）上記実施形態では、内ロック部材６１５，６２３や前ロック部材６１９，６２０，６２１が回動変位することにより、ロック状態（第１状態）と非ロック状態（第２状態）とに状態変化する構成となっている。これに限らず、例えばラックアンドピニオン機構により、摺動杆６１０の動作に連動して略水平方向にスライド変位するロック部材などを採用してもよい。
【０２１０】
（ｅ）内鉤部材６１３，６１４や前鉤部材６１６，６１７，６１８の構成は上記実施形態に限定されるものではない。例えば、上記実施形態では１つの摺動杆６１０を共用して、内枠１２の解錠と前面枠セット１４の解錠とを別々に行う構成となっており、当該摺動杆６１０に対し、内鉤部材６１３，６１４や前鉤部材６１６，６１７，６１８がそれぞれ相対変位可能に係合されている。これに代えて、内鉤部材６１３，６１４又は前鉤部材６１６，６１７，６１８の一方を摺動杆６１０に相対変位不能に設けた構成としてもよい。構成例としては、内鉤部材６１３，６１４又は前鉤部材６１６，６１７，６１８が摺動杆６１０と一体形成された構成や、摺動杆６１０に対しネジ等の固定手段により相対変位不能に固定された構成などが挙げられる。
【０２１１】
また、内枠１２用と、前面枠セット１４用に、別々に摺動する２つの摺動杆を備え、各摺動杆に対して内鉤部材６１３，６１４や前鉤部材６１６，６１７，６１８がそれぞれ相対変位不能に設けられた構成としてもよい。
【０２１２】
また、内鉤部材６１３等の各鉤部材、及びこれに対応する受け金具８３等の各被係止部材の数は、上記実施形態の数に限定されるものではなく、内枠１２の施錠機構など各施錠機構に対応して、例えば１つであってもよい。
【０２１３】
（ｆ）上記実施形態では、シリンダ錠７００の鍵穴７０２に鍵Ｋを挿入し、時計回り方向に回動操作することで内枠１２が解錠され、反時計回りに回動操作することで前面枠セット１４が解錠される構成となっている。つまり、内鉤部材６１３，６１４が上方へ摺動することにより受け金具８３，８４から離脱し、前鉤部材６１６，６１７，６１８が下方へ摺動することにより、受け金具９１，９２，９３から離脱する構成となっている。これに限らず、両者の解錠操作が逆となる構成としてもよい。
【０２１４】
（ｇ）上記実施形態における施錠装置６００には、シリンダ錠７００の背面側を覆うようにして施錠カバー７４０が取付固定されている。これに限らず、施錠カバー７４０を省略した構成としてもよい。
【０２１５】
（ｈ）上記実施形態では、例えば内ロック部材６１５，６２３を介して、コイルばねＣ１，Ｃ２の付勢力が内鉤部材６１３，６１４に伝わる構成となっている。つまり、内鉤部材６１３，６１４の付勢手段と、内ロック部材６１５，６２３の維持手段とが、単一のコイルばねＣ１，Ｃ２により構成されている。また、同様に、前鉤部材６１６，６１７，６１８の付勢手段と、前ロック部材６１９，６２０，６２１の維持手段とが、単一のコイルばねＣ３，Ｃ４，Ｃ５により構成されている。これに限らず、各鉤部材の付勢手段と、各ロック部材の維持手段を別々のコイルばねにより構成してもよい。勿論、付勢手段や維持手段はコイルばねに限定されるものではない。また、付勢手段や維持手段の力が、摺動杆６１０など他の部材を介して間接的に鉤部材やロック部材に伝わる構成としてもよい。
【０２１６】
（ｉ）被係止部材の構成も上記実施形態の受け金具８３，８４や受け金具９１，９２，９３に限定されるものではない。例えば、上記実施形態では、内鉤部材６１３，６１４が受け金具８３，８４に係合された状態では、内鉤部材６１３，６１４や内ロック部材６１５，６２３の先端部の周囲が、当該受け金具８３，８４の周壁部８３ｄ，８４ｄによって囲まれた状態となる。従って、受け金具８３，８４は、被係止部材としての機能と、カバー部材としての機能を併せ持つこととなる。これに限らず、周壁部８３ｄ，８４ｄに代えてカバー部材を別体で設けた構成としてもよいし、周壁部８３ｄ，８４ｄなどカバー部材として機能する部位を省略した構成としてもよい。
【０２１７】
（ｊ）上記実施形態では、鍵Ｋの非挿入状態においてシリンダ錠７００がロック状態となり、摺動杆６１０の摺動変位がカム板７２０により規制される構成を採用している。これに限らず、例えば、摺動杆６１０が基準位置にある場合には、カム板７２０の両係合爪７２０ａ，７２０ｂが係合孔７２５，７２６に挿入された状態とならず、摺動杆６１０の摺動が規制されない構成を採用してもよい。また、鍵Ｋの非挿入状態においてもロック状態とならない（カム板７２０が変位不能とならない）シリンダ錠を採用してもよい。
【０２１８】
（ｋ）上記実施形態では、内ロック部材６１５，６２３や前ロック部材６１９，６２０，６２１を、これに対応する内鉤部材６１３，６１４や前鉤部材６１６，６１７，６１８と、摺動杆６１０との間に配設している。これに限らず、内ロック部材６１５等は、少なくとも内鉤部材６１３等と支持板６０３との間に配設されていればよい。例えば、支持板６０３に対し、内ロック部材６１５等の各種ロック部材、内鉤部材６１３等の各種鉤部材、摺動杆６１０の順に重ね合わされた構成としてもよいし、支持板６０３に対し、内ロック部材６１５等の各種ロック部材、摺動杆６１０、内鉤部材６１３等の各種鉤部材の順に重ね合わされた構成としてもよい。
【０２１９】
（ｌ）上記実施形態では、支持板６０３の後縁部にフランジ部６０３ａを設けることにより、内鉤部材６１３等と摺動杆６１０との隙間から線材等を進入させ、内ロック部材６１５等に引っ掛けるといった不正行為を防止している。これに限らず、フランジ部６０３ａを省略した構成としてもよい。
【０２２０】
（ｍ）上記実施形態では、内鉤部材６１３，６１４にはガード部６１３ｆ，６１４ｆが設けられ、前鉤部材６１６，６１７，６１８にはガード部として機能する膨出凹部６１６ｇ，６１７ｇ，６１８ｇが設けられることにより、内ロック部材６１５，６２３のフック部６１５ｆ，６２３ｆや突起部６１５ｇ，６２３ｇ、前ロック部材６１９，６２０，６２１の突起部６１９ｇ，６２０ｇ，６２１ｇなどに対し線材等を引っ掛けにくくしている。これに限らず、ガード部６１３ｆ，６１４ｆや膨出凹部６１６ｇ，６１７ｇ，６１８ｇのうちの少なくとも１つを省略した構成としてもよい。
【０２２１】
（ｎ）上記実施形態とは異なるタイプのパチンコ機として実施してもよい。また、パチンコ機以外にも、アレンジボール機、それに類する雀球等の各種遊技機、スロットマシン等の回胴式遊技機、スロットマシンとパチンコ機とを融合した形式の遊技機などとして実施してもよい。
【符号の説明】
【０２２２】
１０…パチンコ機、１１…外枠、１２…内枠、１４…前面枠セット、８３，８４…受け金具、９１，９２，９３…受け金具、６００…施錠装置、６１０…摺動杆、６１３，６１４…内鉤部材、６１５，６２３…内ロック部材、６１６，６１７，６１８…前鉤部材、６１９，６２０，６２１…前ロック部材、７００…シリンダ錠。
【図１】
0005445644.tif 000002
【図２】
0005445644.tif 000003
【図３】
0005445644.tif 000004
【図４】
0005445644.tif 000005
【図５】
0005445644.tif 000006
【図６】
0005445644.tif 000007
【図７】
0005445644.tif 000008
【図８】
0005445644.tif 000009
【図９】
0005445644.tif 000010
【図１０】
0005445644.tif 000011
【図１１】
0005445644.tif 000012
【図１２】
0005445644.tif 000013
【図１３】
0005445644.tif 000014
【図１４】
0005445644.tif 000015
【図１５】
0005445644.tif 000016
【図１６】
0005445644.tif 000017
【図１７】
0005445644.tif 000018
【図１８】
0005445644.tif 000019
【図１９】
0005445644.tif 000020
【図２０】
0005445644.tif 000021
【図２１】
0005445644.tif 000022
【図２２】
0005445644.tif 000023
【図２３】
0005445644.tif 000024
【図２４】
0005445644.tif 000025
【図２５】
0005445644.tif 000026
【図２６】
0005445644.tif 000027
【図２７】
0005445644.tif 000028
【図２８】
0005445644.tif 000029